(57)【要約】  本開示は、光学的コントラスト特徴部を隠すためのシステム、方法、および装置を提供する。透明な光導波路上のワイヤのような細長い光学的コントラスト特徴部の可視性を低下させるために、光導波路内の隣接する光方向転換特徴部が、それらが物理的に均一に分布されるレイアウトでのそれらの位置に「移動」される。この移動は、ワイヤの周りの領域内の局所的な光学的密度を、光導波路の他の領域内の光学的密度とより同等にする。隣接する光方向転換特徴部の移動は、通常の視距離での人間の目の線広がり関数の幅内であるワイヤからの距離内で主に生じる。局所的な光学的密度の均一性は、したがって増加し、人間の目は、ワイヤを別個の構造であるように知覚しない。したがって、ワイヤは、光方向転換特徴部の領域内で「隠される」ことが可能である。
2015510599.tif 000002
【特許請求の範囲】
【請求項１】
基板上の細長い光学的コントラスト特徴部と、
前記細長い光学的コントラスト特徴部に直接隣接する第１の領域と、
前記第１の領域に直接隣接し、前記第１の領域よりも前記細長い光学的コントラスト特徴部から遠い第２の領域と、
前記第１の領域内に分布された第１の複数の離散的な光学的コントラスト特徴部と、
前記第２の領域内に分布された第２の複数の離散的な光学的コントラスト特徴部と
を含む基板組立品を備えるデバイスであって、
前記第１の複数の離散的な光学的コントラスト特徴部の第１の密度が、前記第２の複数の離散的な光学的コントラスト特徴部の第２の密度よりも低い、デバイス。
【請求項２】
前記第１の領域と前記第２の領域との間の境界は、前記細長い光学的コントラスト特徴部の長さに沿って、実質的に均一な距離で、前記細長い光学的コントラスト特徴部から離間される、請求項１に記載のデバイス。
【請求項３】
前記細長い光学的コントラスト特徴部が、ワイヤである、請求項１に記載のデバイス。
【請求項４】
前記ワイヤが、導電体の接近を感知するように構成されたタッチセンサシステムに電気的に接続された電極であり、前記電極が、前記タッチセンサシステムの一部である、請求項３に記載のデバイス。
【請求項５】
複数の凹部が、前記ワイヤの長さに沿って形成され、前記ワイヤが、少なくとも部分的に、前記凹部を被覆する金属で形成される、請求項３に記載のデバイス。
【請求項６】
前記第１の領域が、約１６インチの距離での人間の目に対する前記細長い光学的コントラスト特徴部の線広がり関数内に実質的に完全に収まる、請求項１に記載のデバイス。
【請求項７】
前記基板が、主上面および主底面を有する光導波路を含み、前記離散的な光学的コントラスト特徴部が、方向転換された光が前記主底面を通って前記光導波路から出るように、前記光導波路内を伝播する光を方向転換するように構成された光方向転換特徴部を含む、請求項１に記載のデバイス。
【請求項８】
前記離散的な光学的コントラスト特徴部が、さらに、前記第２の領域内に分布された複数のダミー光方向転換特徴部を含む、請求項７に記載のデバイス。
【請求項９】
前記離散的な光学的コントラスト特徴部が、前記光導波路の前記主上面内に延在する凹部を含む、請求項７に記載のデバイス。
【請求項１０】
前記細長い光学的コントラスト特徴部が、前記光導波路の前記主上面上に形成される、請求項９に記載のデバイス。
【請求項１１】
前記凹部の少なくともいくつかが、金属で被覆される、請求項９に記載のデバイス。
【請求項１２】
さらに、ディスプレイを備え、前記基板が、前記ディスプレイを照明するために構成された光導波路を含み、
前記デバイスが、さらに、前記ディスプレイと通信するように構成されたプロセッサを備え、前記プロセッサが、画像データを処理するように構成されており、
前記デバイスが、さらに、前記プロセッサと通信するように構成されたメモリデバイスを備える、請求項１に記載のデバイス。
【請求項１３】
さらに、前記ディスプレイに少なくとも１つの信号を送るように構成されたドライバ回路を備える、請求項１２に記載のデバイス。
【請求項１４】
さらに、前記画像データの少なくとも一部を前記ドライバ回路に送るように構成されたコントローラを備える、請求項１３に記載のデバイス。
【請求項１５】
さらに、前記画像データを前記プロセッサに送るように構成された画像ソースモジュールを備える、請求項１２に記載のデバイス。
【請求項１６】
前記画像ソースモジュールが、受信機、トランシーバ、および送信機のうちの少なくとも１つを含む、請求項１５に記載のデバイス。
【請求項１７】
さらに、入力データを受信し、前記プロセッサに前記入力データを通信するように構成された入力デバイスを備え、前記入力デバイスが、タッチセンサを含み、前記細長い光学的コントラスト特徴部が、前記タッチセンサの一部であるワイヤである、請求項１２に記載のデバイス。
【請求項１８】
基板上の細長い光学的コントラスト特徴部と、
前記細長い光学的コントラスト特徴部を不明瞭化するための手段と
を含む、基板組立品を備えるデバイス。
【請求項１９】
前記細長い光学的コントラスト特徴部を不明瞭化するための前記手段が、
前記細長い光学的コントラスト特徴部を中心とする第１の領域と、
前記第１の領域に直接隣接し、前記第１の領域よりも前記細長い光学的コントラスト特徴部から遠い、第２の領域と、
前記第１の領域内に分布された第１の複数の離散的な光学的コントラスト特徴部と、
前記第２の領域内に分布された第２の複数の離散的な光学的コントラスト特徴部と
を含み、
前記第１の複数の離散的な光学的コントラスト特徴部の第１の密度が、前記第２の複数の離散的な光学的コントラスト特徴部の第２の密度よりも低い、請求項１８に記載のデバイス。
【請求項２０】
前記細長い光学的コントラスト特徴部が、ワイヤを含み、前記ワイヤが、導電体の接近を感知するように構成されたタッチセンサシステムに電気的に接続された電極であり、前記電極が、前記タッチセンサシステムの一部である、請求項１９に記載のデバイス。
【請求項２１】
前記離散的な光学的コントラスト特徴部が、前記基板に形成された凹部を含む、請求項１９に記載のデバイス。
【請求項２２】
前記凹部の少なくともいくつかが、金属で被覆される、請求項２１に記載のデバイス。
【請求項２３】
前記第１の領域が、約１６インチの距離での人間の目に対する前記細長い光学的コントラスト特徴部の線広がり関数内に収まる、請求項１９に記載のデバイス。
【請求項２４】
複数の凹部が、前記ワイヤの長さに沿って形成され、前記ワイヤが、少なくとも部分的に、前記凹部を被覆する金属で形成される、請求項２０に記載のデバイス。
【請求項２５】
デバイスを製造する方法であって、
基板を設けるステップと、
前記基板上に細長い光学的コントラスト特徴部を設けるステップと、
前記細長い光学的コントラスト特徴部に直接隣接する前記基板の第１の領域に第１の複数の離散的な光学的コントラスト特徴部を設けるステップと、
前記第１の領域に直接隣接し、前記第１の領域よりも前記細長い光学的コントラスト特徴部から遠い、前記基板の第２の領域に第２の複数の離散的な光学的コントラスト特徴部を設けるステップと
を含み、
前記第１の複数の離散的な光学的コントラスト特徴部の第１の密度が、前記第２の複数の離散的な光学的コントラスト特徴部の第２の密度よりも低い、方法。
【請求項２６】
前記細長い光学的コントラスト特徴部を設けるステップが、前記基板上にワイヤを形成するステップを含む、請求項２５に記載の方法。
【請求項２７】
前記第１および第２の複数の離散的な光学的コントラスト特徴部を設けるステップが、前記基板の上面に凹部を形成するステップを含む、請求項２５に記載の方法。
【請求項２８】
さらに、前記基板の前記上面に形成された前記凹部の少なくともいくつかの表面を金属で被覆するステップを含む、請求項２７に記載の方法。
【請求項２９】
前記第１の領域が、約１６インチの距離での人間の目に対する前記細長い光学的コントラスト特徴部の線広がり関数内に収まる、請求項２５に記載の方法。
【請求項３０】
さらに、前記ワイヤを、導電体の接近を感知することができるタッチセンサシステムに電気的に接続するステップを含み、前記電極が、前記タッチセンサシステムの一部である、請求項２６に記載の方法。
【請求項３１】
前記ワイヤを形成するステップが、
前記ワイヤの長さに沿って複数の凹部を形成するステップと、
前記凹部を金属で被覆するステップと
を含む、請求項２６に記載のデバイス。
【発明の詳細な説明】
【技術分野】
【０００１】
本開示は、ディスプレイ用照明システム、具体的には、光方向転換特徴部を有する光導波路を有する照明システムを含む照明システム、および、電気機械システムに関する。
【背景技術】
【０００２】
電気機械システム（ＥＭＳ）は、電気的および機械的な要素と、アクチュエータと、トランスデューサと、センサと、光学的構成要素（ミラーおよび光学フイルム層など）と、電子回路とを有するデバイスを含む。電気機械システムは、限定はしないが、マイクロスケールおよびナノスケールを含む、様々なスケールで製造され得る。たとえば、マイクロ電気機械システム（ＭＥＭＳ：ｍｉｃｒｏｅｌｅｃｔｒｏｍｅｃｈａｎｉｃａｌ  ｓｙｓｔｅｍ）デバイスは、約１ミクロンから数百ミクロン以上に及ぶサイズを有する構造を含むことができる。ナノ電気機械システム（ＮＥＭＳ：ｎａｎｏｅｌｅｃｔｒｏｍｅｃｈａｎｉｃａｌ  ｓｙｓｔｅｍ）デバイスは、たとえば、数百ナノメートルよりも小さいサイズを含む、１ミクロンよりも小さいサイズを有する構造を含むことができる。電気および電気機械デバイスを形成するために、堆積、エッチング、リソグラフィを使用して、ならびに／あるいは、基板および／または堆積された材料層の部分をエッチング除去するかまたは層を追加する、他の微細加工プロセスを使用して、電気機械要素が作成され得る。
【０００３】
１つのタイプの電気機械システムデバイスは干渉変調器（ＩＭＯＤ：ｉｎｔｅｒｆｅｒｏｍｅｔｒｉｃ  ｍｏｄｕｌａｔｏｒ）と呼ばれる。本明細書で使用する干渉変調器または干渉光変調器という用語は、光学干渉の原理を使用して光を選択的に吸収および／または反射するデバイスを指す。いくつかの実施態様では、干渉変調器は伝導性プレートのペアを含み得、そのペアの一方または両方は、全体的にまたは部分的に、透明でおよび／または反射性であり、適切な電気信号の印加時の相対運動が可能であり得る。一実施態様では、一方のプレートは、基板上に堆積された固定層を含み得、他方のプレートは、エアギャップによって固定層から分離された反射膜を含み得る。別のプレートに対する一方のプレートの位置は、干渉変調器に入射する光の光学干渉を変化させることがある。干渉変調器デバイスは、広範囲の適用例を有しており、特にディスプレイ能力がある製品の場合、既存の製品を改善し、新しい製品を作成する際に使用されることが予期される。
【０００４】
反射された環境光は、干渉変調器によって形成されたピクセルを使用するもののような、いくつかのディスプレイデバイスで、画像を形成するために使用される。これらのディスプレイの知覚される明るさは、観察者に向かって反射される光の量に依存する。低い環境光の状況では、人工光源からの光は、反射ピクセルを照明するために使用され、反射ピクセルは、次いで、画像を生成するために、観察者に向けて光を反射する。市場の需要、および設計基準を満たすために、新たな照明デバイスが、反射型ディスプレイおよび透過型ディスプレイを含むディスプレイデバイスのニーズを満たすために、絶えず開発されている。
【発明の概要】
【課題を解決するための手段】
【０００５】
本開示のシステム、方法、およびデバイスは、各々、いくつかの革新的な態様を有し、それらのどの１つも、単独で、本明細書で開示される所望の属性の原因とはならない。本開示に記載の主題の１つの革新的な態様は、基板組立品を含むデバイスで実装されてよい。基板組立品は、基板上の細長い光学的コントラスト特徴部と、細長い光学的コントラスト特徴部に直接隣接する第１の領域と、第１の領域に直接隣接し、さらに、第１の領域よりも、細長い光学的コントラスト特徴部から遠い第２の領域とを含む。第１の複数の離散的な光学的コントラスト特徴部が、第１の領域内に分布され、第２の複数の離散的な光学的コントラスト特徴部が、第２の領域内に分布される。離散的な光学的コントラスト特徴部の密度は、第１の領域内の方が第２の領域内より低い。いくつかの実施形態では、第１の領域と第２の領域との境界は、その長さに沿って実質的に均一な距離で、細長い光学的コントラスト特徴部から離間される。特定の実施形態では、第１の領域は、約１６インチの距離での人間の目に対する細長い光学的コントラスト特徴部の線広がり関数内に実質的に完全に収まることができる。いくつかの実施形態では、細長い光学的コントラスト特徴部は、ワイヤであってよい。他の実施形態では、基板は、光導波路であってよく、離散的な光学的コントラスト特徴部は、方向転換された光が光導波路の主底面を通ってディスプレイの方に光導波路を出るように、光導波路内を伝播する光を方向転換させるように構成された光方向転換特徴部を含む。
【０００６】
本明細書に記載の主題の別の革新的な態様は、基板組立品を含むデバイスで実装されてよい。基板組立品は、基板上の細長い光学的コントラスト特徴部と、細長い光学的コントラスト特徴部を不明瞭化するための手段とを含む。特定の実施形態では、細長い光学的コントラスト特徴部を不明瞭化するための手段は、細長い光学的コントラスト特徴部を中心とする第１の領域と、第１の領域に直接隣接し、第１の領域よりも、細長い光学的コントラスト特徴部から遠い第２の領域とを含むことができる。離散的な光学的コントラスト特徴部の密度は、第１の領域内の方が第２の領域内より低くてよい。いくつかの実施形態では、細長い光学的コントラスト特徴部は、導電体の接近を感知するように構成されたタッチセンサシステムに電気的に接続されたワイヤであってよい。いくつかの他の実施形態では、離散的な光学的コントラスト特徴部は、基板に形成された凹部であってよい。特定の実施形態では、凹部は、金属化されてよい。いくつかの実施形態では、第１の領域は、約１６インチの距離での人間の目に対する細長い光学的コントラスト特徴部の線広がり関数内に収まることができる。
【０００７】
本明細書に記載の主題の別の革新的な態様は、デバイスを製造する方法で実施されてよく、方法は、基板を設けるステップと、基板上に細長い光学的コントラスト特徴部を設けるステップと、細長い光学的コントラスト特徴部に直接隣接する基板の第１の領域内に第１の複数の離散的な光学的コントラスト特徴部を設けるステップと、第１の領域に直接隣接し、第１の領域よりも、細長い光学的コントラスト特徴部から遠い第２の領域内に第２の複数の離散的な光学的コントラスト特徴部を設けるステップとを含む。離散的な光学的コントラスト特徴部は、第１の複数の離散的な光学的コントラスト特徴部の第１の密度が、第２の複数の離散的な光学的コントラスト特徴部の第２の密度より低くなるように設けられる。いくつかの実施形態では、細長い光学的コントラスト特徴部を設けるステップは、基板上にワイヤを形成するステップを含むことができる。他の実施形態では、離散的な光学的コントラスト特徴部を設けるステップは、基板の上面に凹部を形成するステップを含むことができる。特定の実施形態では、凹部は、金属でコーティングされてよい。いくつかの実施形態では、第１の領域は、約１６インチの距離での人間の目に対する細長い光学的コントラスト特徴部の線広がり関数内に収まることができる。
【０００８】
本明細書で説明する主題の１つまたは複数の実施態様の詳細が、添付の図面および以下の説明において示されている。他の特徴、態様、および利点は、説明、図面、および特許請求の範囲から明らかになるであろう。以下の図の相対寸法は一定の縮尺で描かれていないことがあることに留意されたい。
【図面の簡単な説明】
【０００９】
【図１】干渉変調器（ＩＭＯＤ）ディスプレイデバイスの一連のピクセル中の２つの隣接ピクセルを示す等角図の一例である。
【図２】３×３干渉変調器ディスプレイを組み込んだ電子デバイスを示すシステムブロック図の一例である。
【図３】図１の干渉変調器についての可動反射層位置対印加電圧を示す図の一例である。
【図４】様々なコモン電圧およびセグメント電圧が印加されたときの干渉変調器の様々な状態を示す表の一例を示す図である。
【図５Ａ】図２の３×３干渉変調器ディスプレイにおけるディスプレイデータのフレームを示す図の一例である。
【図５Ｂ】図５Ａに示すディスプレイデータのフレームを書き込むために使用され得るコモン信号およびセグメント信号についてのタイミング図の一例である。
【図６Ａ】図１の干渉変調器ディスプレイの部分断面図の一例である。
【図６Ｂ】干渉変調器の異なる実施態様の断面図の一例である。
【図６Ｃ】干渉変調器の異なる実施態様の断面図の一例である。
【図６Ｄ】干渉変調器の異なる実施態様の断面図の一例である。
【図６Ｅ】干渉変調器の異なる実施態様の断面図の一例である。
【図７】干渉変調器のための製造プロセスを示す流れ図の一例である。
【図８Ａ】干渉変調器を製作する方法における様々な段階の断面概略図の一例である。
【図８Ｂ】干渉変調器を製作する方法における様々な段階の断面概略図の一例である。
【図８Ｃ】干渉変調器を製作する方法における様々な段階の断面概略図の一例である。
【図８Ｄ】干渉変調器を製作する方法における様々な段階の断面概略図の一例である。
【図８Ｅ】干渉変調器を製作する方法における様々な段階の断面概略図の一例である。
【図９Ａ】照明デバイスによって照明されているディスプレイの図の一例である。
【図９Ｂ】照明デバイスおよびタッチセンサを有するディスプレイの図の一例である。
【図９Ｃ】タッチセンサと一体化された照明デバイスを有するディスプレイの図の一例である。
【図１０Ａ】光導波路の図の一例である。
【図１０Ｂ】金属化された光方向転換特徴部を有する光導波路の図の一例である。
【図１０Ｃ】タッチセンサと一体化された、金属化された光方向転換特徴部を有する光導波路の断面図の一例である。
【図１０Ｄ】金属化された光方向転換特徴部、およびタッチ感知電極を有する光導波路の断面図の図の一例である。
【図１１】タッチセンサの図の一例である。
【図１２Ａ】タッチセンサと一体化された、光方向転換特徴部を有する導波路の図の一例である。
【図１２Ｂ】タッチセンサと一体化された、光方向転換特徴部を有する導波路の図の一例である。
【図１３Ａ】人間の目の光学系による視覚的刺激の劣化の図の一例である。
【図１３Ｂ】人間の目の光学系による視覚的刺激の劣化の図の一例である。
【図１４】人間の目に関するコントラスト感度関数のグラフを示す。
【図１５Ａ】光方向転換特徴部および導体を有する光導波路の一部の図の一例を示す。
【図１５Ｂ】光方向転換特徴部および導体を有する光導波路の一部の図の一例を示す。
【図１５Ｃ】図１５Ａおよび図１５Ｂに示す光導波路に関連付けられた線広がり関数の図の一例を示す。
【図１６Ａ】導体と重なっている光方向転換特徴部を有する光導波路の一部の図の一例を示す。
【図１６Ｂ】導体と重なっている光方向転換特徴部を有する光導波路の一部の図の一例を示す。
【図１６Ｃ】図１６Ａおよび図１６Ｂに示す光導波路に関連付けられた線広がり関数の図の一例を示す。
【図１７Ａ】光方向転換特徴部によって取り囲まれた導体を有する光導波路の一部の図の一例を示す。
【図１７Ｂ】光方向転換特徴部によって取り囲まれた導体を有する光導波路の一部の図の一例を示す。
【図１８Ａ】光方向転換特徴部およびダミー光方向転換特徴部によって取り囲まれた導体を有する光導波路の一部の平面図の一例を示す。
【図１８Ｂ】光方向転換特徴部およびダミー光方向転換特徴部によって取り囲まれた導体を有する光導波路の一部の平面図の一例を示す。
【図１９】基板上に光学的コントラスト特徴部を配置する方法を示す流れ図の一例を示す。
【図２０】基板上に光方向転換特徴部およびダミー光方向転換特徴部の配置を設計する方法を示す流れ図の一例を示す。
【図２１Ａ】複数の干渉変調器を含むディスプレイデバイスを示すシステムブロック図の一例である。
【図２１Ｂ】複数の干渉変調器を含むディスプレイデバイスを示すシステムブロック図の一例である。
【発明を実施するための形態】
【００１０】
様々な図面中の同様の参照番号および名称は、同様の要素を示す。
【００１１】
以下の説明は、本開示の発明的態様について説明するために、いくつかの実施態様に向けられる。ただし、本明細書の教示が多数の異なる方法において適用できることは、当業者は容易に認識されよう。説明される実施態様は、動いていようと（たとえば、ビデオ）、静止していようと（たとえば、静止画像）、およびテキストであろうと、グラフィックであろうと、絵であろうと、画像を表示するように構成することができる任意のデバイスまたはシステムにおいて実施することができる。より詳細には、説明される実施態様は、限定はしないが、携帯電話、マルチメディアインターネット対応セルラー電話、モバイルテレビジョン受信機、ワイヤレスデバイス、スマートフォン、Ｂｌｕｅｔｏｏｔｈ（登録商標）デバイス、携帯情報端末（ＰＤＡ）、ワイヤレス電子メール受信機、ハンドヘルドまたはポータブルコンピュータ、ネットブック、ノートブック、スマートブック、タブレット、プリンタ、コピー機、スキャナ、ファクシミリデバイス、ＧＰＳ受信機／ナビゲータ、カメラ、ＭＰ３プレーヤ、カムコーダ、ゲーム機、腕時計、クロック、計算器、テレビジョンモニタ、フラットパネルディスプレイ、電子リーディングデバイス（たとえば、電子リーダー）、コンピュータモニタ、自動車ディスプレイ（たとえば、オドメータおよびスピードメータディスプレイ）、コックピットコントロールおよび／またはディスプレイ、カメラビューディスプレイ（たとえば、車両における後部ビューカメラのディスプレイ）、電子写真、電子ビルボードまたは標示、プロジェクタ、アーキテクチャ構造物、電子レンジ、冷蔵庫、ステレオシステム、カセットレコーダーまたはプレーヤ、ＤＶＤプレーヤ、ＣＤプレーヤ、ＶＣＲ、ラジオ、ポータブルメモリチップ、洗濯機、乾燥機、洗濯機／乾燥機、パーキングメータ、（電気機械システム（ＥＭＳ）、マイクロ電気機械システム（ＭＥＭＳ）および非ＭＥＭＳ適用例などにおける）パッケージング、審美構造物（たとえば、１つの宝飾品上の画像のディスプレイ）、ならびに様々なＥＭＳデバイスなど、種々の電子デバイス中に含まれ得るかまたはそれらに関連付けられ得ることを企図している。また、本明細書の教示は、限定はしないが、電子スイッチングデバイス、無線周波数フィルタ、センサ、加速度計、ジャイロスコープ、運動検知デバイス、磁力計、コンシューマーエレクトロニクスのための慣性構成要素、コンシューマーエレクトロニクス製品の部品、バラクタ、液晶デバイス、電気泳動デバイス、駆動方式、製造プロセスおよび電子テスト機器など、ディスプレイ以外の応用形態において使用することもできる。したがって、本教示は、単に図に示す実施態様に限定されるものではなく、代わりに、当業者には容易に明らかになるであろう広い適用性を有する。
【００１２】
本明細書で開示される様々な実施形態は、光学的コントラスト特徴部を隠すための方法および装置に関する。光学的コントラスト特徴部は、その局所的な背景と比較して視覚的コントラストを提供する任意のオブジェクトであってよい。たとえば、明るい表面または背景に対して、暗いまたは不透明な特徴は、光学的コントラスト特徴部と見なされてよい。逆に、暗い表面または背景に対して、明るい特徴は、光学的コントラスト特徴部と見なされてよい。光学的コントラスト特徴部は、材料の存在および／または不在によって形成されてよい。光学的コントラスト特徴部は、細長くてよく、または離散的（たとえば、平面図で見て回転対称）で、細長い特徴と比較して比較的小さくてよい。いくつかの光学的コントラスト特徴部は、複数の離散的な特徴が、これらの離散的な特徴と重なることなく、細長い特徴上に置かれてよいという意味で、「細長い」特徴と比較して「離散的」特徴として説明されてよい。人間の目の不完全性のため、各光学的コントラスト特徴部は、観察者に対して、物理的に占有しているよりも大きい領域にわたって「塗りつぶされて」いるように現れる可能性がある。この効果は、各光学的コントラスト特徴部の線広がり関数によって特徴付けられ得る。人間の目のこれらの不完全性を利用することによって、離散的な光学的コントラスト特徴部の特定の配置は、細長い光学的コントラスト特徴部の可視性を低下させることができる。大まかに均一に分布された離散的な光学的コントラスト特徴部の領域では、個々の離散的な光学的コントラスト特徴部がそうでなくても、細長い光学的コントラスト特徴部は、観察者に見える可能性がある。細長い光学的コントラスト特徴部の可視性を低下させるために、隣接する離散的な光学的コントラスト特徴部は、離散的な光学的コントラスト特徴部の密度が、細長い光学的コントラスト特徴部から遠い領域よりも、細長い光学的コントラスト特徴部に直接隣接する領域で低くなるように、（離散的な光学的コントラスト特徴部の大まかに均一な分布に対して）「移動」される。離散的な光学的コントラスト特徴部のこの移動は、領域全体にわたる、より均一な光学的密度を提供し、それにより、細長い光学的コントラスト特徴部を、観察者にとってより不明瞭にする。
【００１３】
一例として、フロントライト照明システムのための光導波路および一体化されたタッチスクリーンの場合、金属化された光方向転換特徴部のような光方向転換特徴部は、離散的な光学的コントラスト特徴部を構成することができ、タッチ感知ワイヤまたは電極は、細長い光学的コントラスト特徴部を構成することができる。光方向転換特徴部は、光導波路の表面にわたって大まかに均一に分布されてよく、典型的には、観察者に対して不可視である。しかしながら、ワイヤは、特定の観察状況の下では可視であり得る。これらのワイヤの可視性を低下させるために、隣接する光方向転換特徴部は、それらが大まかに物理的に均一に分布されるレイアウトでのそれらの位置に対して「移動」され、ワイヤの周囲の局所的な光学的密度を光導波路の他の領域の光学的密度に近づけるように、ワイヤ上に形成される。隣接する光方向転換特徴部の移動は、主に、通常の観察距離（たとえば、１６インチ）での人間の目の線広がり関数の幅内に収まるワイヤからの距離内に発生する。光学的密度の増加した均一さのため、人間の目は、ワイヤを別個の構造であるように知覚せず、したがって、ワイヤは、「隠される」ことが可能である。
【００１４】
本開示で説明される主題の具体的な実施形態は、以下の潜在的な利点の１つまたは複数を実現するために実施されてよい。たとえば、本明細書で開示される構造および方法は、光導波路にわたって分布されたワイヤのような細長い光学的コントラスト特徴部の可視性を低下させるために用いられてよい。タッチスクリーンは、典型的には、ディスプレイを覆うグリッドに配置された複数のワイヤを使用する。表示される画像を妨げないように、そのようなワイヤの可視性をできる限り低下させることが望ましい。ワイヤは、光方向転換特徴部のような離散的な光学的コントラスト特徴部を有する表面上に配置されてよい。本明細書で開示されるような離散的な光学的コントラスト特徴部を配置することは、細長い光学的コントラスト特徴部の可視性を低下させるために使用されることが可能であり、それによって、ディスプレイの知覚される画像品質を改善する。たとえば、画像品質の改善は、ワイヤの可視性の低下のためであり得る。これは、依然としてワイヤが不透明であることを可能にしながら、達成されることが可能であり、人間の観察者に見えなくなるようにワイヤを細くすることを必要としない。そのような細いワイヤは、製造するのが困難であり、強い容量性信号を提供しないが、本明細書内のいくつかの実施形態によって可能にされる比較的太いラインは、より容易に製造され、静電容量式タッチスクリーンで電極として使用される実施形態では、より強い容量性信号を可能にする。
【００１５】
説明される方法および実施が適合し得る適切なＭＥＭＳまたは電気機械システム（ＥＭＳ）デバイスの一例は、反射型ディスプレイデバイスである。反射型ディスプレイデバイスは、光学干渉の原理を使用してそれに入射する光を選択的に吸収および／または反射するために干渉変調器（ＩＭＯＤ）を組み込むことができる。ＩＭＯＤは、吸収体、吸収体に対して可動である反射体、ならびに吸収体と反射体との間に画定された光共振キャビティを含むことができる。反射体は、２つ以上の異なる位置に移動され得、これは、光共振キャビティのサイズを変化させ、それにより干渉変調器の反射率に影響を及ぼすことがある。ＩＭＯＤの反射スペクトルは、かなり広いスペクトルバンドをもたらすことができ、そのスペクトルバンドは、異なる色を生成するために可視波長にわたってシフトされ得る。スペクトルバンドの位置は、光共振キャビティの厚さを変更することによって調節され得る。光共振キャビティを変更する１つの方法は、反射体の位置を変更することによるものである。
【００１６】
図１は、干渉変調器（ＩＭＯＤ）ディスプレイデバイスの一連のピクセル中の２つの隣接ピクセルを示す等角図の一例を示す。ＩＭＯＤディスプレイデバイスは、１つまたは複数の干渉ＭＥＭＳディスプレイ要素を含む。これらのデバイスでは、ＭＥＭＳディスプレイ要素のピクセルが、明状態または暗状態のいずれかにあることがある。明（「緩和」、「開」または「オン」）状態では、ディスプレイ要素は、たとえば、ユーザに、入射可視光の大部分を反射する。逆に、暗（「作動」、「閉」または「オフ」）状態では、ディスプレイ要素は入射可視光をほとんど反射しない。いくつかの実施態様では、オン状態の光反射特性とオフ状態の光反射特性は逆にされ得る。ＭＥＭＳピクセルは、黒および白に加えて、主に、カラーディスプレイを可能にする特定の波長において、反射するように構成され得る。
【００１７】
ＩＭＯＤディスプレイデバイスは、ＩＭＯＤの行／列アレイを含むことができる。各ＩＭＯＤは、（光ギャップまたはキャビティとも呼ばれる）エアギャップを形成するように互いから可変で制御可能な距離をおいて配置された反射層のペア、すなわち、可動反射層と固定部分反射層とを含むことができる。可動反射層は、少なくとも２つの位置の間で移動され得る。第１の位置、すなわち、緩和位置では、可動反射層は、固定部分反射層から比較的大きい距離をおいて配置され得る。第２の位置、すなわち、作動位置では、可動反射層は、部分反射層により近接して配置され得る。それら２つの層から反射する入射光は、可動反射層の位置に応じて、強め合うようにまたは弱め合うように干渉し、各ピクセルについて全反射状態または無反射状態のいずれかを引き起こすことがある。いくつかの実施態様では、ＩＭＯＤは、作動していないときに反射状態にあり、可視スペクトル内の光を反射し得、また、作動していないときに暗状態にあり、可視範囲内の光を吸収し、および／または弱め合うようにそれに干渉し得る。ただし、いくつかの他の実施態様では、ＩＭＯＤは、作動していないときに暗状態にあり、作動しているときに反射状態にあり得る。いくつかの実施態様では、印加電圧の導入が、状態を変更するようにピクセルを駆動することができる。いくつかの他の実施態様では、印加電荷が、状態を変更するようにピクセルを駆動することができる。
【００１８】
図１中のピクセルアレイの図示の部分は、２つの隣接する干渉変調器１２を含む。（図示のような）左側のＩＭＯＤ１２では、可動反射層１４が、部分反射層を含む光学スタック１６からの所定の距離における緩和位置に示されている。左側のＩＭＯＤ１２に印加された電圧Ｖ０は、可動反射層１４の作動を引き起こすには不十分である。右側のＩＭＯＤ１２では、可動反射層１４は、光学スタック１６の近くの、またはそれに隣接する作動位置に示されている。右側のＩＭＯＤ１２に印加された電圧Ｖｂｉａｓは、可動反射層１４を作動位置に維持するのに十分である。
【００１９】
図１では、ピクセル１２の反射特性が、概して、ピクセル１２に入射する光と、左側のピクセル１２から反射する光１５とを示す矢印１３を用いて示されている。詳細に示していないが、ピクセル１２に入射する光１３の大部分は透明基板２０を透過され、光学スタック１６に向かうことになることを、当業者なら理解されよう。光学スタック１６に入射する光の一部分は光学スタック１６の部分反射層を透過されることになり、一部分は反射され、透明基板２０を通って戻ることになる。光学スタック１６を透過された光１３の部分は、可動反射層１４において反射され、透明基板２０に向かって（およびそれを通って）戻ることになる。光学スタック１６の部分反射層から反射された光と可動反射層１４から反射された光との間の（強め合うまたは弱め合う）干渉が、ピクセル１２から反射される光１５の波長を決定することになる。
【００２０】
光学スタック１６は、単一の層またはいくつかの層を含むことができる。その層は、電極層と、部分反射および部分透過層と、透明な誘電体層とのうちの１つまたは複数を含むことができる。いくつかの実施態様では、光学スタック１６は、電気伝導性であり、部分的に透明で、部分的に反射性であり、たとえば、透明基板２０上に上記の層のうちの１つまたは複数を堆積させることによって、作製され得る。電極層は、様々な金属、たとえば酸化インジウムスズ（ＩＴＯ）など、様々な材料から形成され得る。部分反射層は、クロム（Ｃｒ）などの様々な金属、半導体、および誘電体など、部分的に反射性である様々な材料から形成され得る。部分反射層は、材料の１つまたは複数の層から形成され得、それらの層の各々は、単一の材料または材料の組合せから形成され得る。いくつかの実施態様では、光学スタック１６は、光吸収体と電気導体の両方として働く、金属または半導体の単一の半透明の厚さを含むことができるが、（たとえば、光学スタック１６の、またはＩＭＯＤの他の構造の）異なる、電気的により伝導性の高い層または部分が、ＩＭＯＤピクセル間で信号をバス伝送するように働くことができる。光学スタック１６は、１つまたは複数の伝導性層または電気伝導性／光吸収層をカバーする、１つまたは複数の絶縁層または誘電体層をも含むことができる。
【００２１】
いくつかの実施態様では、光学スタック１６の層は、以下でさらに説明するように、平行ストリップにパターニングされ得、ディスプレイデバイスにおける行電極を形成し得る。当業者によって理解されるように、「パターニング」という用語は、本明細書では、マスキングプロセスならびにエッチングプロセスを指すために使用される。いくつかの実施態様では、アルミニウム（Ａｌ）などの高伝導性および反射性材料が可動反射層１４のために使用され得、これらのストリップはディスプレイデバイスにおける列電極を形成し得る。可動反射層１４は、（光学スタック１６の行電極に直交する）１つまたは複数の堆積された金属層の一連の平行ストリップとして形成されて、ポスト１８の上に堆積された列とポスト１８間に堆積された介在する犠牲材料とを形成し得る。犠牲材料がエッチング除去されると、画定されたギャップ１９または光キャビティが可動反射層１４と光学スタック１６との間に形成され得る。いくつかの実施態様では、ポスト１８間の間隔は約１〜１０００μｍであり得、ギャップ１９は１０，０００オングストローム（Å）未満であり得る。
【００２２】
いくつかの実施態様では、ＩＭＯＤの各ピクセルは、作動状態にあろうと緩和状態にあろうと、本質的に、固定反射層および可動反射層によって形成されるキャパシタである。電圧が印加されないとき、可動反射層１４は、図１中の左側のピクセル１２によって示されるように、機械的に緩和した状態にとどまり、可動反射層１４と光学スタック１６との間のギャップ１９がある。しかしながら、電位差、すなわち電圧が、選択された行および列のうちの少なくとも１つに印加されたとき、対応するピクセルにおける行電極と列電極との交差部に形成されたキャパシタは帯電し、静電力がそれらの電極を引き合わせる。印加された電圧がしきい値を超える場合、可動反射層１４は、変形し、光学スタック１６の近くにまたはそれに対して移動することができる。光学スタック１６内の誘電体層（図示せず）が、図１中の右側の作動ピクセル１２によって示されるように、短絡を防ぎ、層１４と層１６との間の分離距離を制御し得る。その挙動は、印加電位差の極性にかかわらず同じである。いくつかの事例ではアレイ中の一連のピクセルが「行」または「列」と呼ばれることがあるが、ある方向を「行」と呼び、別の方向を「列」と呼ぶことは恣意的であることを、当業者は容易に理解されよう。言い換えれば、いくつかの配向では、行は列と見なされ得、列は行であると見なされ得る。さらに、ディスプレイ要素は、直交する行および列に一様に配置されるか（「アレイ」）、または、たとえば、互いに対して一定の位置オフセットを有する、非線形構成で配置され得る（「モザイク」）。「アレイ」および「モザイク」という用語は、いずれかの構成を指し得る。したがって、ディスプレイは、「アレイ」または「モザイク」を含むものとして言及されるが、その要素自体は、いかなる事例においても、互いに直交して配置される必要がなく、または一様な分布で配設される必要がなく、非対称形状および不均等に分布された要素を有する配置を含み得る。
【００２３】
図２は、３×３干渉変調器ディスプレイを組み込んだ電子デバイスを示すシステムブロック図の一例を示す。電子デバイスは、１つまたは複数のソフトウェアモジュールを実行するように構成され得るプロセッサ２１を含む。オペレーティングシステムを実行することに加えて、プロセッサ２１は、ウェブブラウザ、電話アプリケーション、電子メールプログラム、または他のソフトウェアアプリケーションを含む、１つまたは複数のソフトウェアアプリケーションを実行するように構成され得る。
【００２４】
プロセッサ２１は、アレイドライバ２２と通信するように構成され得る。アレイドライバ２２は、たとえば、ディスプレイアレイまたはパネル３０に、信号を与える行ドライバ回路２４と列ドライバ回路２６とを含むことができる。図２には、図１に示したＩＭＯＤディスプレイデバイスの断面が線１−１によって示されている。図２は明快のためにＩＭＯＤの３×３アレイを示しているが、ディスプレイアレイ３０は、極めて多数のＩＭＯＤを含んでいることがあり、列におけるＩＭＯＤの数とは異なる数のＩＭＯＤを行において有し得、その逆も同様である。
【００２５】
図３は、図１の干渉変調器についての可動反射層位置対印加電圧を示す図の一例を示す。ＭＥＭＳ干渉変調器の場合、行／列（すなわち、コモン／セグメント）書込みプロシージャが、図３に示すこれらのデバイスのヒステリシス特性を利用し得る。干渉変調器は、可動反射層またはミラーに緩和状態から作動状態に変更させるために、例示的な一実施態様では、約１０ボルトの電位差を使用し得る。電圧がその値から低減されると、電圧が低下して、この例では、１０ボルトより下に戻ったとき、可動反射層はその状態を維持するが、電圧が２ボルトより下に低下するまで、可動反射層は完全には緩和しない。したがって、図３に示すように、この例では、ある電圧の範囲、約３〜７ボルトが存在し、そのウィンドウ内でデバイスは緩和状態または作動状態のいずれかで安定している印加電圧のウィンドウが存在する。これは、本明細書では「ヒステリシスウィンドウ」または「安定性ウィンドウ」と呼ばれる。図３のヒステリシス特性を有するディスプレイアレイ３０の場合、行／列書込みプロシージャは、一度に１つまたは複数の行をアドレス指定するように設計され得、その結果、所与の行のアドレス指定中に、作動されるべきアドレス指定された行におけるピクセルは、この例では、約１０ボルトの電圧差にさらされ、緩和されるべきピクセルは、ほぼ０ボルトの電圧差にさらされる。アドレス指定後に、それらのピクセルは、それらが前のストローブ状態にとどまるような、この例では約５ボルトの定常状態またはバイアス電圧差にさらされ得る。この例では、アドレス指定された後に、各ピクセルは、約３〜７ボルトの「安定性ウィンドウ」内の電位差を経験する。このヒステリシス特性の特徴は、図１に示したピクセル設計などのピクセル設計が、同じ印加電圧条件下で作動または緩和のいずれかの既存の状態で安定したままであることを可能にする。各ＩＭＯＤピクセルは、作動状態にあろうと緩和状態にあろうと、本質的に、固定反射層および可動反射層によって形成されるキャパシタであるので、この安定状態は、電力を実質的に消費するかまたは失うことなしに、ヒステリシスウィンドウ内の定常電圧において保持され得る。その上、印加電圧電位が実質的に固定のままである場合、電流は本質的にほとんどまたはまったくＩＭＯＤピクセルに流れ込まない。
【００２６】
いくつかの実施態様では、所与の行におけるピクセルの状態の所望の変化（どのようなものであれ）に従って、列電極のセットに沿って「セグメント」電圧の形態のデータ信号を印加することによって、画像のフレームが作成され得る。次に、フレームが一度に１行書き込まれるように、アレイの各行がアドレス指定され得る。第１の行におけるピクセルに所望のデータを書き込むために、第１の行におけるピクセルの所望の状態に対応するセグメント電圧が列電極上に印加され得、特定の「コモン」電圧または信号の形態の第１の行パルスが第１の行電極に印加され得る。次いで、セグメント電圧のセットは、第２の行におけるピクセルの状態の所望の変化（どのようなものであれ）に対応するように変更され得、第２のコモン電圧が第２の行電極に印加され得る。いくつかの実施態様では、第１の行におけるピクセルは、列電極に沿って印加されたセグメント電圧の変化による影響を受けず、第１のコモン電圧行パルス中にそれらのピクセルが設定された状態にとどまる。このプロセスは、画像フレームを生成するために、一連の行全体、または代替的に、一連の列全体について、連続方式で繰り返され得る。フレームは、何らかの所望の数のフレーム毎秒でこのプロセスを連続的に反復することによって、新しい画像データでリフレッシュおよび／または更新され得る。
【００２７】
各ピクセルに印加されるセグメント信号とコモン信号の組合せ（すなわち、各ピクセルの電位差）は、各ピクセルの得られる状態を決定する。図４は、様々なコモン電圧およびセグメント電圧が印加されたときの干渉変調器の様々な状態を示す表の一例を示している。当業者によって理解されるように、「セグメント」電圧は、列電極または行電極のいずれかに印加され得、「コモン」電圧は、列電極または行電極のうちの他方に印加され得る。
【００２８】
図４に（ならびに図５Ｂに示すタイミング図に）示すように、解放電圧ＶＣＲＥＬがコモンラインに沿って印加されたとき、コモンラインに沿ったすべての干渉変調器要素は、セグメントラインに沿って印加された電圧、すなわち、高いセグメント電圧ＶＳＨおよび低いセグメント電圧ＶＳＬにかかわらず、代替的に解放または非作動状態と呼ばれる、緩和状態に入れられることになる。特に、解放電圧ＶＣＲＥＬがコモンラインに沿って印加されると、そのピクセルのための対応するセグメントラインに沿って高いセグメント電圧ＶＳＨが印加されたときも、低いセグメント電圧ＶＳＬが印加されたときも、変調器ピクセルの電位電圧（代替的にピクセル電圧と呼ばれる）は緩和ウィンドウ（図３参照、解放ウィンドウとも呼ばれる）内にある。
【００２９】
高い保持電圧ＶＣＨＯＬＤ＿Ｈまたは低い保持電圧ＶＣＨＯＬＤ＿Ｌなどの保持電圧がコモンライン上に印加されたとき、干渉変調器の状態は一定のままであることになる。たとえば、緩和ＩＭＯＤは緩和位置にとどまることになり、作動ＩＭＯＤは作動位置にとどまることになる。保持電圧は、対応するセグメントラインに沿って高いセグメント電圧ＶＳＨが印加されたときも、低いセグメント電圧ＶＳＬが印加されたときも、ピクセル電圧が安定性ウィンドウ内にとどまることになるように、選択され得る。したがって、セグメント電圧スイング、すなわち、高いＶＳＨと低いセグメント電圧ＶＳＬとの間の差は、正または負のいずれかの安定性ウィンドウの幅よりも小さい。
【００３０】
高いアドレス指定電圧ＶＣＡＤＤ＿Ｈまたは低いアドレス指定電圧ＶＣＡＤＤ＿Ｌなどのアドレス指定または作動電圧がコモンライン上に印加されたとき、それぞれのセグメントラインに沿ったセグメント電圧の印加によって、データがそのコモンラインに沿った変調器に選択的に書き込まれ得る。セグメント電圧は、作動が印加されたセグメント電圧に依存するように選択され得る。アドレス指定電圧がコモンラインに沿って印加されたとき、一方のセグメント電圧の印加は、安定性ウィンドウ内のピクセル電圧をもたらし、ピクセルが非作動のままであることを引き起こすことになる。対照的に、他方のセグメント電圧の印加は、安定性ウィンドウを越えるピクセル電圧をもたらし、ピクセルの作動をもたらすことになる。作動を引き起こす特定のセグメント電圧は、どのアドレス指定電圧が使用されるかに応じて変動することができる。いくつかの実施態様では、高いアドレス指定電圧ＶＣＡＤＤ＿Ｈがコモンラインに沿って印加されたとき、高いセグメント電圧ＶＳＨの印加は、変調器がそれの現在位置にとどまることを引き起こすことがあり、低いセグメント電圧ＶＳＬの印加は、変調器の作動を引き起こすことがある。当然の結果として、低いアドレス指定電圧ＶＣＡＤＤ＿Ｌが印加されたとき、セグメント電圧の影響は反対であり、高いセグメント電圧ＶＳＨは変調器の作動を引き起こし、低いセグメント電圧ＶＳＬは変調器の状態に影響しない（すなわち、安定したままである）ことがある。
【００３１】
いくつかの実施態様では、変調器に渡って同じ極性電位差を引き起こす保持電圧、アドレス電圧、およびセグメント電圧が使用され得る。いくつかの他の実施態様では、時間ごとに変調器の電位差の極性を交番する信号が使用され得る。変調器の極性の交番（すなわち、書込みプロシージャの極性の交番）は、単一の極性の反復書込み動作後に起こることがある電荷蓄積を低減または抑止し得る。
【００３２】
図５Ａは、図２の３×３干渉変調器ディスプレイにおけるディスプレイデータのフレームを示す図の一例を示す。図５Ｂは、図５Ａに示すディスプレイデータのフレームを書き込むために使用され得るコモン信号およびセグメント信号についてのタイミング図の一例を示す。それらの信号は、図２のアレイと同様の３×３アレイに印加され得、これは、図５Ａに示すライン時間６０ｅディスプレイ配置を最終的にもたらすことになる。図５Ａ中の作動変調器は暗状態にあり、すなわち、その状態では、反射光の実質的部分が、たとえば、閲覧者に、暗い外観をもたらすように可視スペクトルの外にある。図５Ａに示すフレームを書き込むより前に、ピクセルは任意の状態にあることがあるが、図５Ｂのタイミング図に示す書込みプロシージャは、各変調器が、第１のライン時間６０ａの前に、解放されており、非作動状態に属すると仮定する。
【００３３】
第１のライン時間６０ａ中に、解放電圧７０がコモンライン１上に印加され、コモンライン２上に印加される電圧が、高い保持電圧７２において始まり、解放電圧７０に移動し、低い保持電圧７６がコモンライン３に沿って印加される。したがって、コモンライン１に沿った変調器（コモン１，セグメント１）、（１，２）および（１，３）は、第１のライン時間６０ａの持続時間の間、緩和または非作動状態にとどまり、コモンライン２に沿った変調器（２，１）、（２，２）および（２，３）は、緩和状態に移動することになり、コモンライン３に沿った変調器（３，１）、（３，２）および（３，３）は、それらの前の状態にとどまることになる。図４を参照すると、コモンライン１、２または３のいずれも、ライン時間６０ａ中に作動を引き起こす電圧レベルにさらされていないので（すなわち、ＶＣＲＥＬ−緩和、およびＶＣＨＯＬＤ＿Ｌ−安定）、セグメントライン１、２および３に沿って印加されたセグメント電圧は、干渉変調器の状態に影響しないことになる。
【００３４】
第２のライン時間６０ｂ中に、コモンライン１上の電圧は高い保持電圧７２に移動し、コモンライン１に沿ったすべての変調器は、アドレス指定または作動電圧がコモンライン１上に印加されなかったので、印加されたセグメント電圧にかかわらず、緩和状態にとどまる。コモンライン２に沿った変調器は、解放電圧７０の印加により、緩和状態にとどまり、コモンライン３に沿った変調器（３，１）、（３，２）および（３，３）は、コモンライン３に沿った電圧が解放電圧７０に移動するとき、緩和することになる。
【００３５】
第３のライン時間６０ｃ中に、コモンライン１は、コモンライン１上に高いアドレス電圧７４を印加することによってアドレス指定される。このアドレス電圧の印加中に低いセグメント電圧６４がセグメントライン１および２に沿って印加されるので、変調器（１，１）および（１，２）のピクセル電圧は変調器の正の安定性ウィンドウの上端よりも大きく（すなわち、電圧差は、あらかじめ定義されたしきい値を超えた）、変調器（１，１）および（１，２）は作動される。逆に、高いセグメント電圧６２がセグメントライン３に沿って印加されるので、変調器（１，３）のピクセル電圧は、変調器（１，１）および（１，２）のピクセル電圧よりも小さく、変調器の正の安定性ウィンドウ内にとどまり、したがって変調器（１，３）は緩和したままである。また、ライン時間６０ｃ中に、コモンライン２に沿った電圧は低い保持電圧７６に減少し、コモンライン３に沿った電圧は解放電圧７０にとどまり、コモンライン２および３に沿った変調器を緩和位置のままにする。
【００３６】
第４のライン時間６０ｄ中に、コモンライン１上の電圧は、高い保持電圧７２に戻り、コモンライン１に沿った変調器を、それらのそれぞれのアドレス指定された状態のままにする。コモンライン２上の電圧は低いアドレス電圧７８に減少される。高いセグメント電圧６２がセグメントライン２に沿って印加されるので、変調器（２，２）のピクセル電圧は、変調器の負の安定性ウィンドウの下限を下回り、変調器（２，２）が作動することを引き起こす。逆に、低いセグメント電圧６４がセグメントライン１および３に沿って印加されるので、変調器（２，１）および（２，３）は緩和位置にとどまる。コモンライン３上の電圧は、高い保持電圧７２に増加し、コモンライン３に沿った変調器を緩和状態のままにする。
【００３７】
最後に、第５のライン時間６０ｅ中に、コモンライン１上の電圧は高い保持電圧７２にとどまり、コモンライン２上の電圧は低い保持電圧７６にとどまり、コモンライン１および２に沿った変調器を、それらのそれぞれのアドレス指定された状態のままにする。コモンライン３上の電圧は、コモンライン３に沿った変調器をアドレス指定するために、高いアドレス電圧７４に増加する。低いセグメント電圧６４がセグメントライン２および３上に印加されるので、変調器（３，２）および（３，３）は作動するが、セグメントライン１に沿って印加された高いセグメント電圧６２は、変調器（３，１）が緩和位置にとどまることを引き起こす。したがって、第５のライン時間６０ｅの終わりに、３×３ピクセルアレイは、図５Ａに示す状態にあり、他のコモンライン（図示せず）に沿った変調器がアドレス指定されているときに起こり得るセグメント電圧の変動にかかわらず、保持電圧がコモンラインに沿って印加される限り、その状態にとどまることになる。
【００３８】
図５Ｂのタイミング図では、所与の書込みプロシージャ（すなわち、ライン時間６０ａ〜６０ｅ）は、高い保持およびアドレス電圧、または低い保持およびアドレス電圧のいずれかの使用を含むことができる。書込みプロシージャが所与のコモンラインについて完了されると（また、コモン電圧が、作動電圧と同じ極性を有する保持電圧に設定されると）、ピクセル電圧は、所与の安定性ウィンドウ内にとどまり、解放電圧がそのコモンライン上に印加されるまで、緩和ウィンドウを通過しない。さらに、各変調器が、変調器をアドレス指定するより前に書込みプロシージャの一部として解放されるので、解放時間ではなく変調器の作動時間が、ライン時間を決定し得る。詳細には、変調器の解放時間が作動時間よりも大きい実施態様では、解放電圧は、図５Ｂに示すように、単一のライン時間よりも長く印加され得る。いくつかの他の実施態様では、コモンラインまたはセグメントラインに沿って印加される電圧が、異なる色の変調器など、異なる変調器の作動電圧および解放電圧の変動を相殺するように変動し得る。
【００３９】
上記に記載した原理に従って動作する干渉変調器の構造の詳細は大きく異なり得る。たとえば、図６Ａから図６Ｅは、可動反射層１４とその支持構造とを含む、干渉変調器の異なる実施態様の断面図の例を示している。図６Ａは、金属材料のストリップ、すなわち、可動反射層１４が、基板２０から直角に延在する支持体１８上に堆積される、図１の干渉変調器ディスプレイの部分断面図の一例を示している。図６Ｂでは、各ＩＭＯＤの可動反射層１４は、概して形状が正方形または長方形であり、コーナーにおいてまたはその近くでテザー３２に接して支持体に取り付けられる。図６Ｃでは、可動反射層１４は、概して形状が正方形または長方形であり、フレキシブルな金属を含み得る変形可能層３４から吊るされる。変形可能層３４は、可動反射層１４の外周の周りで基板２０に直接または間接的に接続することがある。これらの接続は、本明細書では支持ポストと呼ばれる。図６Ｃに示す実施態様は、変形可能層３４によって行われる可動反射層１４の機械的機能からのそれの光学的機能の分離から派生する追加の利益を有する。この分離は、反射層１４のために使用される構造設計および材料と、変形可能層３４のために使用される構造設計および材料とが、互いとは無関係に最適化されることを可能にする。
【００４０】
図６Ｄは、可動反射層１４が反射副層１４ａを含む、ＩＭＯＤの別の例を示している。可動反射層１４は、支持ポスト１８などの支持構造上に載る。支持ポスト１８は、たとえば、可動反射層１４が緩和位置にあるとき、可動反射層１４と光学スタック１６との間にギャップ１９が形成されるように、下側静止電極（すなわち、図示のＩＭＯＤにおける光学スタック１６の一部）からの可動反射層１４の分離を可能にする。可動反射層１４は、電極として働くように構成され得る伝導性層１４ｃと、支持層１４ｂとをも含むことができる。この例では、伝導性層１４ｃは、基板２０から遠位にある支持層１４ｂの一方の面に配設され、反射副層１４ａは、基板２０の近位にある支持層１４ｂの他方の面に配設される。いくつかの実施態様では、反射副層１４ａは、伝導性であることがあり、支持層１４ｂと光学スタック１６との間に配設され得る。支持層１４ｂは、誘電材料、たとえば、酸窒化ケイ素（ＳｉＯＮ）または二酸化ケイ素（ＳｉＯ２）の、１つまたは複数の層を含むことができる。いくつかの実施態様では、支持層１４ｂは、たとえば、ＳｉＯ２／ＳｉＯＮ／ＳｉＯ２３層スタックなど、複数の層のスタックであり得る。反射副層１４ａと伝導性層１４ｃのいずれかまたは両方は、たとえば、約０．５％の銅（Ｃｕ）または別の反射金属材料を用いた、アルミニウム（Ａｌ）合金を含むことができる。誘電支持層１４ｂの上および下で伝導性層１４ａ、１４ｃを採用することは、応力のバランスをとり、伝導の向上を与えることができる。いくつかの実施態様では、反射副層１４ａおよび伝導性層１４ｃは、可動反射層１４内の特定の応力プロファイルを達成することなど、様々な設計目的で、異なる材料から形成され得る。
【００４１】
図６Ｄに示すように、いくつかの実施態様はブラックマスク構造２３をも含むことができる。ブラックマスク構造２３は、周辺光または迷光を吸収するために、（たとえば、ピクセル間にまたはポスト１８の下に）光学不活性領域において形成され得る。ブラックマスク構造２３はまた、光がディスプレイの不活性部分から反射されることまたはそれを透過されることを抑止し、それによりコントラスト比を増加させることによって、ディスプレイデバイスの光学的特性を改善することができる。さらに、ブラックマスク構造２３は、伝導性であり、電気的バス層として機能するように構成され得る。いくつかの実施態様では、行電極は、接続された行電極の抵抗を低減するために、ブラックマスク構造２３に接続され得る。ブラックマスク構造２３は、堆積およびパターニング技法を含む様々な方法を使用して形成され得る。ブラックマスク構造２３は１つまたは複数の層を含むことができる。たとえば、いくつかの実施態様では、ブラックマスク構造２３は、それぞれ、約３０〜８０Å、５００〜１０００Å、および５００〜６０００Åの範囲内の厚さをもつ、光吸収体として働くモリブデンクロム（ＭｏＣｒ）層と、ＳｉＯ２層と、反射体として働くアルミニウム合金と、バス層とを含む。１つまたは複数の層は、たとえば、ＭｏＣｒ層およびＳｉＯ２層の場合は、フォトリソグラフィおよび、四フッ化炭素（ＣＦ４）および／または酸素（Ｏ２）、ならびにアルミニウム合金層の場合は、塩素（Ｃｌ２）および／または三塩化ホウ素（ＢＣｌ３）を含むドライエッチングを含む、様々な技法を使用してパターニングされ得る。いくつかの実施態様では、ブラックマスク２３はエタロンまたは干渉スタック構造であり得る。そのような干渉スタックブラックマスク構造２３では、伝導性吸収体は、各行または列の光学スタック１６における下側静止電極間で信号を送信するかまたは信号をバス伝送するために使用され得る。いくつかの実施態様では、スペーサ層３５が、ブラックマスク２３中の伝導性層から吸収層１６ａを概して電気的に絶縁するのに、役立つことができる。
【００４２】
図６Ｅは、可動反射層１４が自立している、ＩＭＯＤの別の例を示している。図６Ｄとは対照的に、図６Ｅの実施態様は支持ポスト１８を含まない。代わりに、可動反射層１４は、複数のロケーションにおいて、下にある光学スタック１６に接触し、可動反射層１４の湾曲は、干渉変調器の電圧が作動を引き起こすには不十分であるとき、可動反射層１４が図６Ｅの非作動位置に戻るという、十分な支持を与える。複数のいくつかの異なる層を含んでいることがある光学スタック１６は、ここでは明快のために、光吸収体１６ａと誘電体１６ｂとを含む状態で示されている。いくつかの実施態様では、光吸収体１６ａは、固定電極としても、部分反射層としても働き得る。いくつかの実施態様では、光吸収体１６ａは可動反射層１４よりも１桁（１０倍以上）薄い。いくつかの実施態様では、光吸収体１６ａは反射副層１４ａよりも薄い。
【００４３】
図６Ａから図６Ｅに示す実施態様などの実施態様では、ＩＭＯＤは直視型デバイスとして機能し、直視型デバイスでは、画像が、透明基板２０の正面、すなわち、変調器が配置された面の反対の面から、閲覧される。これらの実施態様では、デバイスの背面部分（すなわち、たとえば、図６Ｃに示す変形可能層３４を含む、可動反射層１４の背後のディスプレイデバイスの任意の部分）は、反射層１４がデバイスのそれらの部分を光学的に遮蔽するので、ディスプレイデバイスの画質に影響を及ぼすことまたは悪影響を及ぼすことなしに、構成され、作用され得る。たとえば、いくつかの実施態様では、バス構造（図示せず）が可動反射層１４の背後に含まれ得、これは、電圧アドレス指定およびそのようなアドレス指定に起因する移動など、変調器の電気機械的特性から変調器の光学的特性を分離する能力を与える。さらに、図６Ａから図６Ｅの実施態様は、たとえば、パターニングなどの処理を簡略化することができる。
【００４４】
図７は、干渉変調器のための製造プロセス８０を示す流れ図の一例を示しており、図８Ａから図８Ｅは、そのような製造プロセス８０の対応する段階の断面概略図の例を示している。いくつかの実施態様では、製造プロセス８０は、図１および図６に示した一般的なタイプの干渉変調器などの電気機械システムデバイスを製造するために実施され得る。電気機械システムデバイスの製造は、図７に示されていない他のブロックをも含むことができる。図１、図６および図７を参照すると、プロセス８０はブロック８２において開始し、基板２０上への光学スタック１６の形成を伴う。図８Ａは、基板２０上で形成されたそのような光学スタック１６を示している。基板２０は、ガラスまたはプラスチックなどの透明基板であり得、それは、フレキシブルであるかまたは比較的固く曲がらないことがあり、光学スタック１６の効率的な形成を可能にするために、洗浄などの事前準備プロセスにかけられていることがある。上記で説明したように、光学スタック１６は、電気伝導性であり、部分的に透明で、部分的に反射性であることがあり、たとえば、透明基板２０上に、所望の特性を有する１つまたは複数の層を堆積させることによって、作製され得る。図８Ａでは、光学スタック１６は、副層１６ａおよび１６ｂを有する多層構造を含むが、いくつかの他の実施態様では、より多いまたはより少ない副層が含まれ得る。いくつかの実施態様では、副層１６ａ、１６ｂのうちの１つは、組み合わせられた導体／吸収体副層１６ａなど、光吸収特性と電気伝導特性の両方で構成され得る。さらに、副層１６ａ、１６ｂのうちの１つまたは複数は、平行ストリップにパターニングされ得、ディスプレイデバイスにおける行電極を形成し得る。そのようなパターニングは、当技術分野で知られているマスキングおよびエッチングプロセスまたは別の好適なプロセスによって実行され得る。いくつかの実施態様では、副層１６ａ、１６ｂのうちの１つは、１つまたは複数の金属層（たとえば、１つまたは複数の反射層および／または伝導性層）上に堆積された副層１６ｂなど、絶縁層または誘電体層であり得る。さらに、光学スタック１６は、ディスプレイの行を形成する個々の平行ストリップにパターニングされ得る。図８Ａから図８Ｅは、一定の縮尺で描かれていないことがあることに留意されたい。たとえば、図８Ａから図８Ｅでは、副層１６ａ、１６ｂはやや厚く示されているが、いくつかの実施態様では、光学スタックの副層のうちの１つである光吸収層は極めて薄いことがある。
【００４５】
プロセス８０はブロック８４において続き、光学スタック１６上への犠牲層２５の形成を伴う。犠牲層２５は、キャビティ１９を形成するために後で（ブロック９０参照）除去され、したがって、犠牲層２５は、図１に示した得られた干渉変調器１２には示されていない。図８Ｂは、光学スタック１６上で形成された犠牲層２５を含む、部分的に作製されたデバイスを示している。光学スタック１６上での犠牲層２５の形成は、後続の除去後に、所望の設計サイズを有するギャップまたはキャビティ１９（図１および図８Ｅも参照）を与えるように選択された厚さの、モリブデン（Ｍｏ）またはアモルファスシリコン（ａ−Ｓｉ）など、フッ化キセノン（ＸｅＦ２）エッチング可能材料の堆積を含み得る。犠牲材料の堆積は、物理蒸着（スパッタリングなど、多くの様々な技法を含むＰＶＤ）、プラズマ強化化学蒸着（ＰＥＣＶＤ）、熱化学蒸着（熱ＣＶＤ）、またはスピンコーティングなど、堆積技法を使用して行われ得る。
【００４６】
プロセス８０はブロック８６において続き、図１、図６および図８Ｃに示すポスト１８などの支持構造の形成を伴う。ポスト１８の形成は、支持構造開口を形成するために犠牲層２５をパターニングし、次いで、ＰＶＤ、ＰＥＣＶＤ、熱ＣＶＤ、またはスピンコーティングなど、堆積方法を使用して、ポスト１８を形成するために開口中に材料（たとえば、ポリマー、または無機材料、たとえば酸化ケイ素）を堆積させることを含み得る。いくつかの実施態様では、犠牲層中に形成された支持構造開口は、ポスト１８の下側端部が図６Ａに示すように基板２０に接触するように、犠牲層２５と光学スタック１６の両方を通って、下にある基板２０まで延在することがある。代替的に、図８Ｃに示すように、犠牲層２５中に形成された開口は、犠牲層２５は通るが、光学スタック１６は通らないで、延在することがある。たとえば、図８Ｅは、光学スタック１６の上側表面と接触している支持ポスト１８の下側端部を示している。ポスト１８、または他の支持構造は、犠牲層２５上に支持構造材料の層を堆積させること、および犠牲層２５中の開口から離れて配置された支持構造材料の部分をパターニングすることによって形成され得る。支持構造は、図８Ｃに示すように開口内に配置され得るが、少なくとも部分的に、犠牲層２５の一部分の上で延在することもある。上述のように、犠牲層２５および／または支持ポスト１８のパターニングは、パターニングおよびエッチングプロセスによって実行され得るが、代替エッチング方法によっても実行され得る。
【００４７】
プロセス８０はブロック８８において続き、図１、図６および図８Ｄに示す可動反射層１４などの可動反射層または膜の形成を伴う。可動反射層１４は、１つまたは複数のパターニング、マスキング、および／またはエッチングステップとともに、たとえば、反射層（たとえば、アルミニウム、アルミニウム合金、または他の反射層）堆積を含む１つまたは複数の堆積ステップを採用することによって、形成され得る。可動反射層１４は、電気伝導性であり、電気伝導性層と呼ばれることがある。いくつかの実施態様では、可動反射層１４は、図８Ｄに示すように複数の副層１４ａ、１４ｂ、１４ｃを含み得る。いくつかの実施態様では、副層１４ａ、１４ｃなど、副層のうちの１つまたは複数は、それらの光学的特性のために選択された高反射性副層を含み得、別の副層１４ｂは、その機械的特性のために選択された機械的副層を含み得る。犠牲層２５は、ブロック８８において形成された部分的に作製された干渉変調器中に依然として存在するので、可動反射層１４は、一般にこの段階では可動でない。犠牲層２５を含んでいる部分的に作製されたＩＭＯＤは、本明細書では「非解放」ＩＭＯＤと呼ばれることもある。図１に関して上記で説明したように、可動反射層１４は、ディスプレイの列を形成する個々の平行ストリップにパターニングされ得る。
【００４８】
プロセス８０はブロック９０において続き、キャビティ、たとえば図１、図６および図８Ｅに示すキャビティ１９の形成を伴う。キャビティ１９は、（ブロック８４において堆積された）犠牲材料２５をエッチャントにさらすことによって形成され得る。たとえば、ＭｏまたはアモルファスＳｉなどのエッチング可能犠牲材料が、ドライ化学エッチング、たとえば、所望の量の材料を除去するのに有効である期間の間、固体ＸｅＦ２から得られた蒸気などの気体または蒸気エッチャントに犠牲層２５をさらすことによって、除去され得る。犠牲材料は、一般に、キャビティ１９を囲む構造に対して選択的に除去される。他のエッチング方法、たとえばウェットエッチングおよび／またはプラズマエッチングも使用され得る。犠牲層２５がブロック９０中に除去されるので、可動反射層１４は、一般に、この段階後に可動となる。犠牲材料２５の除去後に、得られた完全にまたは部分的に作製されたＩＭＯＤは、本明細書では「解放」ＩＭＯＤと呼ばれることがある。
【００４９】
ここで、図９Ａを参照すると、照明デバイスによって照明されているディスプレイの一例が示される。（図１の干渉変調器１２のような）干渉変調器を含む反射型ディスプレイのような反射型ディスプレイは、環境光を観察者に向けて反射することができ、それによって、表示された画像を観察者に提供する。しかしながら、いくつかの状況では、環境光が低いそのような環境は、図９Ａに示すディスプレイ８１０のような反射型ディスプレイは、画像を表示するために十分な光をディスプレイ８１０に提供するために、追加の照明を必要とする可能性がある。たとえば、ディスプレイ８１０を照明するために、照明デバイス８２０が設けられてよい。いくつかの実施形態では、照明デバイス８２０は、導波路内に導かれた光をディスプレイ８１０に向けて方向転換させ、方向転換された光がディスプレイ８１０を離れて観察者に向けて反射されることを可能にする、光方向転換特徴部を有するフロントライトであってよい。光は、照明デバイス８２０（光源は、図示されない）に結合された１つまたは複数の（発光ダイオードのような）光源によって、光導波路８２０内に入射されてよい。代わりに、いくつかの他の実施形態では、光源は、エッジバー（図示せず）内に結合されてよく、エッジバーは、次いで、光を、光導波路８２０内に導かれるように、光導波路８２０の幅に沿って拡散させることができ、次いで、ディスプレイ８１０を照明するために、ディスプレイ８１０に向けて出射させることができる。
【００５０】
ここで、図９Ｂを参照すると、照明デバイスおよびタッチセンサを有するディスプレイの照明の一例が示される。いくつかの実施形態では、ユーザが表示画像に「タッチ」することによってユーザ入力を提供することを可能にするために、ディスプレイ８１０のためのタッチセンサ機能を含めることが望ましい可能性がある。図９Ｂの実施形態に示すように、ディスプレイ８１０は、照明デバイス８２０によって照明され、照明デバイス８２０の上にタッチセンサ８３０が積み重ねられる。いくつかの実施形態では、タッチセンサ８３０は、タッチセンサ８３０内に形成された導体の静電容量の変化を感知することによって、タッチの位置を決定することができる。導体の静電容量の変化は、導電体、たとえば、人間の指８３５の接近によって誘導され得る。タッチセンサ８３０の照明デバイス８２０との使用は、ユーザの指とディスプレイシステム８００との有用な相互作用を可能にする。たとえば、異なる場所でスクリーンにタッチすることによって、ユーザは、ディスプレイシステム８００のディスプレイ８１０によって表示された特定のアイコン８３７を選択するために、自分の指８３５を使用することができる。いくつかの実施形態では、照明デバイス８２０は、タッチセンサ８３０と一体化されず、照明デバイス８２０およびタッチセンサ８３０は、一方が他方の上に機械的に積み重ねられてよい。図９Ｂに示すように、タッチセンサ８３０は、照明デバイス８２０の上に積み重ねられるが、他の実施形態では、照明デバイス８２０は、タッチセンサ８３０の上に積み重ねられてよい。図示のように、タッチセンサ８３０は、ディスプレイ８１０を見ているユーザにより近い。さらに他の実施形態では、タッチセンサ８３０は、ディスプレイ８１０の背後にあってよい。いくつかの他の実施形態では、静電容量式タッチセンサではなく、タッチセンサ８３０は、制限なく抵抗式タッチセンサを含む、当該技術分野で既知の様々な他のタイプのタッチセンサであってよい。
【００５１】
図９Ｃを参照すると、一体化されたタッチセンサを有する照明デバイスを有するディスプレイの図の一例が示される。図９Ｃは、タッチセンサと一体化された照明デバイスを示し、それよって、ディスプレイ８１０の上に形成された、タッチセンサと一体化された照明デバイス８４０を形成する。タッチセンサと一体化された照明デバイス８４０は、ディスプレイ８１０より観察者に近く、すなわち、ディスプレイ８１０の画像表示側にある。タッチセンサと一体化された照明デバイス８４０は、タッチセンサ機能も可能にしながら、同時に、照明を提供するために反射型ディスプレイ８１０を照明することができる。様々な実施形態では、タッチセンサと一体化された照明デバイス８４０の１つまたは複数の構成要素は、同時に、照明ならびにタッチ感知機能を有する。たとえば、タッチセンサと一体化された照明デバイス８４０内に形成された導体は、以下により詳細に説明するように、照明機能ならびにタッチ感知機能の両方を提供することができる。
【００５２】
図９Ｃに示すような実施形態を形成するために図９Ｂの照明デバイス８２０およびタッチセンサ８３０を一体化する１つの方法は、照明デバイス８２０内で金属化された光方向転換特徴部を使用し、同時に、照明デバイスの金属化された光方向転換特徴部を、タッチ感知電極と電気的に連通する導体として使用することである。タッチ感知電極は、人間の指８３５の接近によって誘導される導体の静電容量の変化を感知することができる。そのようなシステムは、以下でさらに説明される。この構成では、金属化された光方向転換特徴部と導体の両方が、光導波路の背景に対する光学的コントラスト特徴部として機能する。加えて、光導波路内の様々な他の特徴部が、光学的コントラスト特徴部として機能することができる。たとえば、照明デバイス内の他の電子構成要素、印刷ドット、または隙間さえ、それぞれ、光学的コントラスト特徴部として機能することができる。
【００５３】
図１０Ａを参照すると、光導波路の図の一例が示される。図１０Ａは、光方向転換特徴部９０１ａ、９０１ｂ、および９０１ｃを含む照明デバイス８２０の実施形態を示す。そのような特徴部は、光導波路８２０内を伝播する光を、光導波路の外に、ディスプレイ８１０に向けて「方向転換」させることができる。図１０Ａに示すように、光方向転換特徴部９０１ａ、９０１ｂ、および９０１ｃは、光を反射または方向転換させることができる表面９０５を含む。また、図１０Ａに示すように、光方向転換特徴部９０１ａ、９０１ｂ、および９０１ｃは、１つまたは複数の異なる形状を含むことができる。たとえば、光方向転換特徴部９０１ａ、９０１ｂ、および９０１ｃは、特徴部９０１ａで示すように、一方向、たとえばｘ方向に、長手方向に延在してよい。いくつかの他の実施形態では、光方向転換特徴部９０１ａ、９０１ｂ、および９０１ｃは、離散的で、光方向転換特徴部９０１ｂ、および９０１ｃのような他の特徴部から離間された特徴部を含むことができ、光方向転換特徴部９０１ｂ、および９０１ｃは、細長い特徴部９０１ａより面積が小さく、（上方から見て）回転対称であってよく、または、光導波路８２０上の「島」を形成してよい。また、光方向転換特徴部９０１ａ、９０１ｂ、および９０１ｃは、ピラミッド形、円錐形、もしくは台形の特徴部、または、光線９０２ａ、９０２ｂ、および９０２ｃをディスプレイ８１０に向けて反射することができる他の特徴部もしくは断面プロファイルを含むことができる。
【００５４】
いくつかの実施形態では、光方向転換特徴部９０１ａ、９０１ｂ、および９０１ｃ上に金属導体を形成することが有用である可能性がある。光方向転換特徴部は、光の方向を変える様々なタイプの構造、たとえば、回折および反射構造を含むことができる。いくつかの実施形態では、光方向転換特徴部９０１ａ、９０１ｂ、および９０１ｃは、反射性であり、反射は、光方向転換特徴部の表面で生じる。光方向転換特徴部９０１ａ、９０１ｂ、および９０１ｃの表面からの反射は、表面９０５上に金属導体を形成し、それによって、表面９０５を金属化し、その表面を反射性にすることによって、促進され得る。
【００５５】
図１０Ｂを参照すると、金属化された光方向転換特徴部を有する光導波路の図の一例が示される。図１０Ｂでは、照明デバイス９１０は、金属化された光方向転換特徴部９２０を形成するために凹部の表面に形成された導体９１５を含む光導波路８２０を含む。図１０Ｂの光方向転換特徴部９２０のすべてが、完全に金属化されて示されているが、光方向転換特徴部９２０は、完全に金属化される必要はないことを理解されたい。たとえば、（図１０Ａの光方向転換特徴部９０１ａのような）長い溝として延在する光方向転換特徴部は、溝（たとえば、ｘ方向）に沿った特定の点でのみ金属化され、溝の全体に沿って金属化されなくてよい。加えて、いくつかの光方向転換特徴部は、部分的におよび／または完全に金属化されてよく、他の光方向転換特徴部は、金属化されない。いくつかの実施形態では、導体９１５は、反射性金属導体である。
【００５６】
図１０Ｃを参照すると、タッチセンサと一体化された、金属化された光方向転換特徴部を有する光導波路の実施形態の断面図の一例が示される。図１０Ｃは、光方向転換特徴部９２０内に一体化された導電性特徴を有する照明デバイスの実施形態を示す。ｖ字状断面を有するように示されているが、金属化された光方向転換特徴部９２０は、たとえば、図１０Ａの光方向転換特徴部９０１ａ、９０１ｂ、および９０１ｃを参照して示されるように、テーパ状円筒、または、光導波路の光が出る方向（たとえば、下方）に対して角度がつけられた表面を有する他の形状のような、様々な形状を有することができることを理解されたい。照明デバイス８４０は、光方向転換特徴部９２０上に形成された光反射導体９１５を有する光方向転換特徴部９２０を含む光導波路９１０を含む。照明デバイスは、光反射導体９１５および電極９５０に電気的に接続されたタッチ感知エレクトロニクス９３０を含むこともできる。いくつかの実施形態では、光反射導体９１５は、光方向転換特徴部９２０の長さ全体にわたって光方向転換特徴部９２０の一部であってよく、または、光方向転換特徴部９２０の長さの一部にわたって延在するだけよく、または、光方向転換特徴部９２０の長さよりも遠方に延在してよい。タッチ感知エレクトロニクス９３０は、光反射導体９１５のいくつかに接続されてよく、他の光反射導体９１５は、タッチ感知エレクトロニクス９３０に電気的に接続されない。いくつかの他の実施形態では、図示のように、隣接する光反射導体９１５は、タッチ感知エレクトロニクス９３０に電気的に接続されてよい。タッチ感知電極システムは、金属化された光方向転換特徴部の一部である複数の導体９１５、および、タッチ感知エレクトロニクス９３０と電気的に連通するいかなる光方向転換特徴部の一部でもない複数の導体（まとめて、「電極」と呼ぶことができる）を含むことができるが、必ずしも含むわけではない。タッチ感知エレクトロニクス９３０は、導電体、たとえば、人間の指８３５の接近によって誘導される導体９１５の静電容量の変化を検出することができ、したがって、電極システムは、全体として、人間の指８３５の接近によって誘導される導体９１５の静電容量の変化を検出することができる。光方向転換特徴部上に形成された導体９１５を、静電容量式タッチセンサの一部としても使用することは、タッチセンサ機能を光導波路と一体化することを可能にする。
【００５７】
図１０Ｃに示す実施形態では、タッチセンサ機能と一体化された照明デバイス８４０は、光導波路９１０の上の層を含む。たとえば、層９４０は、導体９１５を電極９５０（電極９５０は、ｙ方向に沿って延在する）から電気的に絶縁するために、誘電体層であってよい。１つの電極９５０のみが図１０Ｃの断面図に示されているが、いくつかの実施形態は、導体９１５と直交するｙ方向に平行に延在する電極９５０のような多くの電極を含むことができる。いくつかの実施形態では、層９４０は、シリコーンまたは他の非腐食性誘電体を含むことができる。導体９１５を分解または腐食させないように、非腐食性材料が好ましい。いくつかの実施形態では、層９４０は、光導波路９１０上に、または光導波路９１０を覆って押し付けられる感圧接着剤（ＰＳＡ）層であってよい。層９４０は、空気の屈折率よりも高いが、約０．０５もしくは０．１またはそれ以上光導波路９１０の屈折率よりも低い屈折率を有することができ、それによって、クラッド層として機能する。加えて、タッチセンサ機能と一体化された照明デバイス８４０は、下にある層を化学的および／または機械的損傷からパシベートまたは保護するために、層９６０のような他の層を含んでよい。
【００５８】
図１０Ｄを参照すると、金属化された光方向転換特徴部およびタッチ感知電極を有する光導波路の断面図の図の一例が示される。図１０Ｄの実施形態は、タッチ感知エレクトロニクス９３０が光方向転換特徴部９２０に電気的に接続されないこと以外は、図１０Ｃの実施形態と同様である。そのような実施形態では、タッチ感知は、電極９５０（ｙ方向に延在する）および９５５（ページ外でｘ方向に延在する）のような電極のグリッドを使用して達成され得る。代わりに、タッチ感知電極は、グリッドでなくてよく、したがって、電極９５０なしで電極９５５のみを含むことができることを理解されたい（この場合、電極９５５は、個別電極を含むことができる）。そのような実施形態は、比較的少ないステップを使用して製造されることが可能であり、電極９５５、および光方向転換特徴部９２０の金属被覆は、同じプロセスを使用して堆積およびエッチングされる。いくつかの他の実施形態では、タッチ感知エレクトロニクス９３０は、電極９５０に電気的に接続されているのに加えて、または、電極９５０に電気的に接続されずに、金属化された光方向転換特徴部９２０と電極９５５の両方に電気的に接続されてよい。いくつかの実施形態では、光方向転換特徴部９２０のいくつかのみが、タッチ感知エレクトロニクス９３０に接続される。電極９５０は、電極９１５および９５５の上の別の層上で直交し、配置されるように示されているが、それらは、同じ層上で直交し、配置されてよいことを理解されたい。そのような構成では、電極の少なくとも１つは、電極９５０の電極９１５または９５５との交差点での短絡を防止するために、切れ目を含む。電極のこれらの切れ目をブリッジするために、ジャンパが設けられてよい。ジャンパは、交差する電極に接触することなく、交差する電極の上および／または下に延在する。
【００５９】
図１１を参照すると、タッチセンサの実施形態の図の一例が示される。タッチセンサは、静電容量式タッチセンサであってよい。一般に、図１１の実施形態に示すように、静電容量式タッチセンサは、電極１０１０、１０２０として機能する導体を含む。図１１の実施形態に示すように、電極１０１０は、ｘ方向に延在し、電極１０２０は、ｙ方向に延在する。電流が、電極１０１０または電極１０２０のうちの一方を流れると、力線１０３０によって図１１に示される電界が、電極１０１０と電極１０２０との間に形成され得る。電極１０１０と１０２０との間に形成された電界は、相互キャパシタンス１０３５ａおよび１０３５ｂに関連する。人間の指８３５、または何らかの他の導電体または物体が、電極１０１０または１０２０の近くに持ってこられると、指の組織及び血液中に存在する電荷が、電極１０１０と１０２０との間に形成された電界を変化させる、または電界に影響を与える。電界のこの乱れは、相互キャパシタンスに影響を与える可能性があり、「タッチ」の位置を決定するために、タッチ感知エレクトロニクス９３０によって感知され得る相互キャパシタンス１０３５ａ、１０３５ｂの変化で測定され得る。図１０Ｃの導体９１５は、同時に、本明細書の他の箇所で説明される光学的機能を果すことができ、図１１に示す電極１０１０または１０２０として機能することができる。
【００６０】
上述した実施形態では、一体化されたタッチセンサおよび光導波路は、金属化された光方向転換特徴部ならびに金属化された電極を、タッチ感知システムの一部として含むことができることを理解されたい。いくつかの実施形態では、金属化された光方向転換特徴部は、タッチ感知電極を不明瞭化するために、タッチ感知電極に対して配置されてよい。ここで、図１２Ａを参照すると、一体化されたタッチセンサと光方向転換特徴部を有する光導波路の図の一例が示される。いくつかの実施形態では、光方向転換特徴部は、金属化されてよい。図示の実施形態では、光方向転換特徴部９２０は、離散的な光学的コントラスト特徴部を構成し、光導波路９１０内を伝播する光の方向を、ディスプレイ８１０に向けて変えることができる。導体９１５は、細長い光学的コントラスト特徴部を構成し、光導波路９１０の上面に沿って延びる。図示のように、導体９１５は、細長くてよく、電極またはワイヤを形成することができ、電極またはワイヤは、たとえば、他の電極、導体、およびタッチ感知エレクトロニクス９３０に電気的に接続することによって、タッチ感知システムの一部であり得る。光導波路９１０の上面に形成されているように示されているが、他の実施形態では、導体９１５は、光導波路９１０内に埋め込まれてよい。たとえば、光導波路９１０の上面に溝がエッチングされてよい。次いで、導電性材料が溝内に堆積されてよく、それによって、光導波路９１０内に埋め込まれる導体９１５を形成する。導体９１５は、反射性金属から作られてよい。いくつかの実施形態では、導体９１５は、光方向転換特徴部９２０を金属化するために使用されるのと同じ材料から作られてよい。いくつかの他の実施形態では、導体９１５は、インジウムスズ酸化物（ＩＴＯ）または酸化亜鉛（ＺｎＯ）のような透明導体から作られてよい。図１２Ａに示すように、光方向転換特徴部９２０は、光導波路９１０の上面にわたって分布される。光方向転換特徴部９２０の分布は、光導波路９１０の表面全体にわたる均一な照明を達成するために調整されてよい。これは、たとえば、光源からの距離の増加に伴う光方向転換特徴部の密度の増加を伴ってよい。隣接する光方向転換特徴部９２０間の間隔は、用途に応じて他の範囲が可能であるが、いくつかの実施形態では、約１０ミクロンから約１５０ミクロンの範囲であってよい。図１２Ａは、光方向転換特徴部９２０を、金属化されているように示すが、いくつかの実施形態では、これらの光方向転換特徴部のいくつかまたはすべては、金属化されなくてよい。
【００６１】
上述したように、導体９１５は、タッチ感知エレクトロニクス９３０に接続する電極として機能することができる。したがって、導体９１５の位置は、タッチフレームワイヤセンサシステムのニーズに基づいて選択される。たとえば、人間の指の寸法を仮定すると、タッチ感知エレクトロニクスの一部である隣接する電極のピッチは、約１センチメートル（ｃｍ）であってよい。「ピッチ」は、２つの同様の直接隣接する電極の同一点間の距離を指すことができることが理解されるであろう。タッチ感知のより高い精度が要求される用途では、隣接する電極間の間隔は、たとえば、０．５ｃｍ以下に減少されてよい。同様に、高精度があまり重要ではない他の用途では、隣接する電極間の間隔は、より大きくてよい。
【００６２】
図１２Ｂは、一体化されたタッチセンサと光方向転換特徴部を有する光導波路の図の別の例である。光方向転換特徴部９２０ａは、光導波路９１０の上面に沿って分布される。しかしながら、図１２Ａと対照的に、光方向転換特徴部９２０ｂは、導体９１５と重なり、たとえば、導体９１５と光方向転換特徴部９２０ｂとの間に連続的に延在する同じ材料で形成されて、導体９１５と一体化されてよい。光方向転換特徴部９２０ｂは、金属化されてよく、導体９１５に接続されてよい。導体９１５は、今度は、他の電極、導体、およびタッチ感知エレクトロニクス９３０に接続されてよい。図１２Ａを参照して上述したように、導体９１５は、光方向転換特徴部９２０ａおよび／または９２０ｂを金属化するために使用され得る同じ金属材料から作られてよい。たとえば、金属材料は、ブランケット層として堆積されてよく、次いで、導体９１５ならびに光方向転換特徴部９２０ａおよび／または９２０ｂを画定するためにエッチングされてよい。図１２Ｂに示すように、すべての光方向転換特徴部が、タッチ感知エレクトロニクス９３０と一体化される、または、タッチ感知エレクトロニクス９３０と電気的に連通するというわけではない。光方向転換特徴部の密度に応じて、特定の実施形態では、１０のうちの１つ、またはより少ない光方向転換特徴部が、タッチ感知エレクトロニクス９３０と電気的に連通してよい。したがって、特定の実施形態では、タッチ感知エレクトロニクス９３０と電気的に連通する光方向転換特徴部９２０ｂの数は、光方向転換特徴部９２０ａの数よりもはるかに少なくてよい。
【００６３】
光方向転換特徴部９２０ａおよび９２０ｂの上の金属層、ならびに導体９１５の両方を形成するために使用される具体的な材料は、異なってよい。いくつかの実施形態では、アルミニウムの層が、光方向転換特徴部９２０ａおよび９２０ｂの下面を画定してよい。いくつかの実施形態では、材料の複数の層が、光方向転換特徴部９２０ａおよび９２０ｂを形成する凹部内に堆積されてよい。たとえば、いくつかの実施形態では、導体９１５は、観察者への反射を低減するための「ブラックマスク」を形成する干渉スタックの一部であってよい。特定の実施形態では、その上に形成された光方向転換特徴部を含む導体９１５は、ブラックマスクの一部であってよい。ブラックマスクは、光導波路９１０内を伝播する光の方向を変える、または光を反射する（導体９１５のような）反射層と、上にある光学的に透過性のスペーサ層と、スペーサ層の上にある光吸収体とを含むことができる。スペーサ層は、反射層と光吸収体との間に配置され、その厚さによって間隙を画定する。動作中、光は、反射層の各々から反射され、吸収体に吸収されることが可能であり、導体９１５が、観察者によって上から見られたとき、黒くまたは暗く現れるように、スペーサ層の厚さは、反射される光が吸収体によって吸収されるように選択される。一例では、導体９１５は、スペーサ層としての二酸化ケイ素の層で覆われ、光吸収体としてモリブデンクロムの層が続くアルミニウム層であってよい。加えて、二酸化ケイ素の層は、下にある層の腐食に対して保護するために、不活性化層として、部分的に反射性の層の上に設けられてよい。当業者は、無数の他の異なる材料および材料の組合せが、導体９１５、ならびに光方向転換特徴部９２０ａおよび９２０ｂを形成するために使用され得ることを認識するであろう。
【００６４】
タッチセンサと一体化された多くの照明デバイスでは、タッチセンサ電極は、特定の状況の下で、観察者に対して可視である。いくつかの実施形態では、電極は、約３ミクロンと約２０ミクロンとの間の幅を有する可能性がある。それにもかかわらず、これらの寸法でさえ、電極は、観察者に対して可視である可能性がある。これは、部分的には、人間の目の光学系の特定の不完全性に起因し、この不完全性の結果、人間の目の様々な光学的限界のため、物体が実際よりも大きく現れる可能性がある。たとえば、視覚的刺激が、角膜および水晶体を通過するとき、刺激は、ある程度の劣化を受ける。分解能の限界は、人間の目の点広がり関数または線広がり関数として表すことができる。定性的に、これらの関数は、人間の観察者によって知覚されるような点または線の「ぼやけ」の程度を表す。より正確には、人間の目の点広がり関数は、網膜のレベルで利用可能な光の強度分布を表す。点広がり関数は、次式を使用して計算することができる。
【００６５】
【数１】
2015510599.tif 000003
【００６６】
ここで、ρは、円弧の視角の分単位で測定される幾何学的な点像からの半径方向の距離である。線は、点の列で構成されていると考えることができるように、線広がり関数は、微細に間隔をおいた点の列の点広がり関数の重ね合わせと考えることができる。線広がり関数は、したがって、点広がり関数から導出することができる。半径方向に対称的な点広がり関数ｓ（ρ）について、対応する線広がり関数Ａ（α）は、次式を使用して見つけることができる。
【００６７】
【数２】
2015510599.tif 000004
【００６８】
ここで、αは、線と直角の方向の線の幾何学的な画像からの距離の角測度であり、ρは、幾何学的な点像の中心からの半径方向の角距離の尺度である。実証的分析は、次式によって計算される線広がり関数を提供する。
【００６９】
【数３】
2015510599.tif 000005
【００７０】
図１３Ａおよび図１３Ｂは、人間の目の光学系に起因する視覚的刺激の劣化の図の例である。図１３Ａに関して、ブロック１２０１は、視空間内に存在する１対の線を示す。ブロック１２０３は、これらの線の各々に関する対応する線広がり関数を示す。横軸は、網膜距離（典型的には、角距離として表される）であり、縦軸は、相対強度である。図１３Ａに見られるように、ブロック１２０１に示す線の対は、結果として、網膜で受光される光の分布を生じ、網膜では、最も高い相対強度は、線の実際の位置に対応し、その位置からの角距離と共に強度が低下する。ブロック１２０５は、１２０１に示す２つのラインの視覚知覚を表す。ブロック１２０３に示す点広がり関数により、線は、「ぼやけて」現れ、広がる。いくつかの実施形態では、「ぼやけ」は、主に、各方向の幾何学的中心から円弧の約２．２分の角距離にわたって生じる。点ではなく、線に対して、「ぼやけ」は、主に、線のいずれかの側の約５分角の角距離にわたって生じる。
【００７１】
図１３Ａでは、２つの線は、線広がり関数のぼかし効果にもかかわらず、２つの線が視覚的に識別可能なままであるのに十分なほど離間されている。図１３Ｂでは、２つの線がブロック１２０７で視空間内で互いにより近いように示されていることを除いて、同様の図が示される。ブロック１２０９は、線の各々に関する対応する線広がり関数を示す。ここで、図１３Ａとは異なり、線広がり関数は、有意に重複する。明確にするために、別々の線広がり関数として示されているが、網膜で受光される全体的な光は、これら２つの線広がり関数の重ね合わせである。ブロック１２１１に示される結果は、図１３Ａのブロック１２０５で知覚されるような線の各々よりも広く、かつ暗い、単一のぼやけた線の視覚知覚である。実際には、図１３Ｂのブロック１２０７の線は、それらの間の距離が人間の目の視力を超え、線が識別不可能になるのに十分なほど互いに近く提示される。人間の目に関して、約１６インチの視距離での典型的な線広がり関数は、約１５０ミクロンの半値全幅によって特徴付けられる。
【００７２】
視覚知覚は、分解能だけでなく、相対コントラストまたはコントラスト比にも依存する。人間の目は、絶対輝度に対するよりもコントラストに対して敏感である。コントラストに対する感度は、しかしながら、空間周波数とともに変化する。空間周波数は、目で範囲が定められる度あたりのコントラストの「サイクル」の数である。たとえば、１サイクルは、単一の黒い線と、その次の白い空間とを含むことができ、このパターンが繰り返す。コントラスト感度関数は、人間の目のコントラスト感度が、空間周波数とともにどのように変化するのかを記述する。図１４は、人間の目に関するコントラスト感度関数のグラフを示す。縦軸は、コントラスト感度を示し、上方に低いコントラスト、下方に最高のコントラストを示す。横軸は、度あたりのサイクルで測定された空間周波数の対数である。空間周波数が増加する、すなわち、視覚的特徴がますますより小さくなり、ますます互いにより近くなるにつれて、これらの特徴が可視であるために必要なコントラストのレベルは、増加する。特定のしきい値を超えると、特定の特徴は、最も高いコントラストであっても、人間の目には見えない。これは、上述した角度分解能の限界に対応する。しかし、人間の目の角度分解能の限界未満であっても、減少したコントラストは、特徴を人間の目に見えなくする可能性がある。
【００７３】
人間の目の光学系のこれらの限界は、光学系で特定の特徴の可視性を低下させるために使用され得ることが見出されている。たとえば、離散的な光学的コントラスト特徴部のアレイ内に配置された細長い光学的コントラスト特徴部は、特徴の配置に応じて、隠されることが可能であり、または、少なくとも可視性を低下させることができる。たとえば、基板上に配置された、導体９１５（図１２Ａおよび図１２Ｂ）のような細長い光学的コントラスト特徴部は、特定の線広がり関数を有することになり、いくつかの実施形態では、約４００ミクロン、またはそれ未満の有効幅を有することができる。同様に、各離散的な光学的コントラスト特徴部、たとえば、光方向転換特徴部９２０（図９Ａ〜図１２Ｂ）のような光方向転換特徴部、または他の遮光要素は、特定の点広がり関数を有することになる。任意の離散的な光学的コントラスト特徴部が、その線広がり関数内に収まるのに十分なほど細長い光学的コントラスト特徴部に近い場合、離散的な光学的コントラスト特徴部の線広がり関数は、細長い光学的コントラスト特徴部の線広がり関数と重なることになる。これら２つの線広がり関数の重ね合わせは、結果として、細長い光学的コントラスト特徴部の増加した有効な知覚される幅をもたらすことができる。
【００７４】
たとえば、図１５Ａおよび図１５Ｂは、光方向転換特徴部および導体を有する光導波路の一部の図の一例を示す。いくつかの実施形態では、光方向転換特徴部９２０ａ〜ｄは、金属化された光方向転換特徴部であってよい。加えて、特定の実施形態では、導体９１５は、ワイヤであってよく、たとえば、本明細書で説明するようなタッチセンサシステム用のワイヤであってよい。図１５Ａは、光導波路の上面図であり、図１５Ｂは、断面図である。光導波路９１０は、光学的コントラスト特徴部を構成する導体９１５、および、それぞれ離散的な光学的コントラスト特徴部を構成する４つの例示される光方向転換特徴部９２０ａ〜ｄを含む。導体９１５は、タッチ感知システムのための電極アレイの一部を形成することができる。光方向転換特徴部９２０ａ〜ｄは、単一の線内に配置されているように示されているが、他の配置が可能である。前述のように、光方向転換特徴部９２０ａ〜ｄの配置は、所望の照明に基づいて決定されてよい。たとえば、均一な照明は、光源（図示せず）からの距離とともに光方向転換特徴部の密度を変化させることを必要とする可能性がある。
【００７５】
図１５Ｃは、図１５Ａおよび図１５Ｂに示す光導波路９１０に関連付けられた線広がり関数の図の一例を示す。線１４３０ａは、光方向転換特徴部９２０ａに関連付けられた点広がり関数に対応する。同様に、線１４３０ｂ、１４３０ｃ、および１４３０ｄは、それぞれ、光方向転換特徴部９２０ｂ、９２０ｃ、および９２０ｄに対応する点広がり関数を示す。線１４３５は、導体９１５の線広がり関数を示す。導体９１５が、光方向転換特徴部９２０ａ、９２０ｂ、９２０ｃ、および９２０ｄより大きくなるにつれて、その線広がり関数は、より高くなり（より大きい相対強度を示す）、かつ、導体９１５の幅の増加により、より広くなる。線１４４０は、重複点と、線広がり関数１４３０ｂ、１４４０、および１４３０ｃとの重ね合わせを表す。これらの別々の点と、線広がり関数との和は、導体９１５、または、単独のいずれかの光方向転換特徴部９２０ａ〜ｄの強度分布よりも著しく広い強度分布を作成する。光方向転換特徴部９２０ｂおよび９２０ｃの点広がり関数と、導体９１５の線広がり関数との重ね合わせの結果は、導体９１５の増加した知覚される幅である。
【００７６】
個々の光方向転換特徴部９２０ａ〜ｄが、各々、所与の観察距離で人間の観察者に個別に検出不可能であり得たとしても、導体９１５の線広がり関数内のこれらの光方向転換特徴部９２０ａ〜ｄの配置は、結果として、導体９１５の知覚される幅を効果的に増加させる可能性がある。導体９１５が、単独で、生身の人間に対してすでに可視である実施形態では、導体９１５の線広がり関数内に光方向転換特徴部９２０ａ〜ｄを設けることは、導体９１５の可視性をさらに高める可能性がある。いずれの場合でも、光方向転換特徴部９２０ａ〜ｄの各々の見かけの幅および／または強度は、隣接する光方向転換特徴部の点広がり関数との重ね合わせによって、増加される可能性がある。
【００７７】
導体９１５のような細長い光学的コントラスト特徴部が、単独で人間の裸眼に対して可視である場合であっても、細長い光学的コントラスト特徴部の周囲の離散的な光学的コントラスト特徴部の特定の配置が、細長い特徴部を「隠す」ために使用され得ることが見出されている。たとえば、導体を直接取り囲む領域から光方向転換特徴部の少なくともいくつかを除去することは、知覚される幅の何らかの増加を減少させることができ、また、光方向転換特徴部９２０ａ〜ｄおよび導体９１５を含む面にわたる光学的コントラスト特徴部９２０ａ〜ｄの光学的密度を大まかに均等にすることができ、それによって、光方向転換特徴部９２０ａ〜ｄのアレイ内の導体９１５を効果的に隠す。たとえば、図１６Ａおよび図１６Ｂは、導体と重なっている光方向転換特徴部を有する光導波路の一部の図の例を示す。光導波路９１０は、導体９１５と重なって配置されている２つの光方向転換特徴部９２０ｂおよび９２０ｃを含む。光方向転換特徴部９２０ａおよび９２０ｄは、導体９１５から距離を置いて配置される。図１５Ａ〜図１５Ｂと比較して、導体９１５に最も近い光方向転換特徴部は、導体９１５と重なるように再配置されている。導体９１５と重ねることによって、光方向転換特徴部９２０ｂおよび９２０ｃは、単独での導体９１５と比較して、追加の光学的不明瞭化をほとんどまたはまったく提供しない。特定の実施形態では、光方向転換特徴部９２０ｂおよび９２０ｃは、導体９１５の側部を越えて延在する寸法を有することができる。たとえば、導体９１５は、差し渡し約３〜５ミクロンの間であってよく、光方向転換特徴部９２０ｂおよび９２０ｃは、約５〜１０ミクロンの間の直径を有する実質的に円形であってよい。そのような構成では、重なっている光方向転換特徴部９２０ｂおよび９２０ｃにより、導体９１５への光学的密度をいくらか増加させることになる。しかしながら、光方向転換特徴部９２０ｂおよび９２０ｃが、導体９１５自体より幅が広い構成であっても、総光学的密度は、導体９１５と光方向転換特徴部９２０ｂおよび９２０ｃとが重なっていなかった場合よりも低いままである。
【００７８】
図１６Ｃは、図１６Ａおよび図１６Ｂに示す光導波路に関連付けられた広がり関数の図の一例を示す。導体９１５の上への光方向転換特徴部９２０ｂおよび９２０ｃの重なる配置の結果として、図１６Ｃに示す広がり関数は、図１５Ｃに示す広がり関数とは大きく異なる。図１５Ｃの線広がり関数と比較して、線１５３５として示される導体の線広がり関数と、点広がり関数が、それぞれ、線１５３０ａおよび１５３０ｄとして示される２つの隣接する光学的コントラスト特徴部９２０ａおよび９２０ｂの線広がり関数との間に、より少ない重なりが存在する。上述したように、光方向転換特徴部９２０ｂおよび９２０ｃは、線１５５０の上に配置され、したがって、これらの光方向転換特徴部に関連付けられた別々の点広がり関数は、ほとんどまたはまったく存在しない。結果として、線１５４０として示される点および線広がり関数の重ね合わせは、結果として、導体９１５の有効幅を実質的に増加させない。したがって、導体９１５の可視性は、光方向転換特徴部９２０ａ〜ｄの配置によって、低下され得る。
【００７９】
導体９１５からさらに遠い光導波路９１０の領域に関して、光方向転換特徴部９２０ａ〜ｄは、各々、それら自体の点広がり関数を有することになる。これらの個々の点広がり関数の重ね合わせは、光学的不明瞭化または光学的密度のベースラインレベルを提供すると考えることができる。導体９１５が、特定の領域に追加されると、導体９１５の周りの光学的不明瞭化は、増大し、導体は、可視である。導体９１５を直接取り囲む領域に比較的低い密度の光方向転換特徴部９２０ａ〜ｄを設けることによって、導体９１５の線広がり関数は、導体９１５の光学的密度を、導体９１５の線広がり関数の外側にある光方向転換特徴部のような、さらに遠くの光方向転換特徴部の周囲のそれらの光方向転換特徴部によって提供されるベースライン光学的密度と同様にするのに十分なほど少なく周囲の光方向転換特徴部９２０ａ〜ｄの線広がり関数と重なる。
【００８０】
図１７Ａ〜図１７Ｂに示すように、そうでなければ光方向転換特徴部の局所的に均一な分布は、導体に最も近いこれらの光方向転換特徴部の一部を導体自体の上に再配置することによって、変更され得る。光方向転換特徴部９２０ｂを導体９１５上に再配置することは、光方向転換特徴部９２０ｂが配置される光導波路９１０の光方向転換機能を維持しながら、導体９１５および光方向転換特徴部９２０ｂの組合せの光学的密度を低下させるという利点を有する。光方向転換特徴部９２０ｂは、光導波路９１０内に依然として存在するため、方向転換される光の量は、それらの再配置によって数が変更されない光方向転換特徴部９２０ｂの数に大まかに比例するため、光導波路９１０は、ほぼ同じ量の光をディスプレイ８１０（図９Ａ〜図１２Ｂ）に向けることになる。したがって、光導波路９１０の照明機能は、実質的に変化しない。いくつかの他の実施形態では、光方向転換特徴部９２０ｂは、導体９１５上に存在しない。むしろ、光方向転換特徴部９２０ｂは、光方向転換特徴部９２０ｂがないオープン領域が導体９１５の周囲に存在するように、再配置される。
【００８１】
図１７Ａおよび図１７Ｂは、光方向転換特徴部によって取り囲まれた導体を有する光導波路の一部の平面図の図の例を示す。図１７Ａでは、導体９１５は、光方向転換特徴部９２０ａおよび９２０ｂのアレイによって取り囲まれる。光方向転換特徴部９２０ｂは、導体９１５に直接隣接する第１の領域１６１０に配置され、他方の光方向転換特徴部９２０ａは、第１の領域に隣接し、導体９１５から遠い第２の領域１６１１に配置される。図１７Ｂは、図１７Ａの第１の領域に配置された光方向転換特徴部９２０ｂが、代わりに導体９１５と重なり、一体化されるように再配置された後の、光導波路の一部を示す。これらの光方向転換特徴部９２０ｂを導体９１５上に再配置することは、結果として、導体９１５の周りのより低い全体の不明瞭化をもたらす。再配置に続いて、いくつかの実施形態では、導体９１５に直接隣接する領域１６１０は、もはや光方向転換特徴部を含まない。他の実施形態では、いくつかの光方向転換特徴部が存在するが、第２の領域１６１１内より低い密度で存在する。領域１６１０内の光学的密度は、したがって、低下する。導体９１５の線広がり関数と、最も近い光方向転換特徴部９２０ａの点広がり関数との間に、より少ない重なりが存在する。導体９１５に直接隣接する領域１６１０内の低下した光学的密度は、導体９１５と、周囲の光方向転換特徴部９２０ａのアレイとの間の知覚されるコントラストを低下させ、それによって、アレイ内の導体９１５を効果的に隠す。導体９１５自体の上に再配置されたこれらの光方向転換特徴部９２０ｂは、本明細書で論じられるように、有意な追加の光学的密度を寄与しない。導体９１５の線広がり関数内にある第１の領域１６１０の幅を提供することは、光導波路上のすべての特徴の個々の点広がり関数のいくらかの重なりを可能にする。これは、今度は、導体９１５のコントラスト、および、したがって可視性を低下させる不明瞭化のベースラインレベルを提供する。図１７Ａおよび図１７Ｂに見られるように、導体９１５を取り囲む第１の領域内の光方向転換特徴部９２０ａ〜ｂの密度は、第１の領域に隣接し、導体９１５から遠い第２の領域内の光方向転換特徴部９２０ａ〜ｂの密度よりはるかに低い。この構成は、導体９１５の可視性を低下させるために、２つの現象、すなわち、導体９１５上に光方向転換特徴部９２０ｂを形成することによって全体の不明瞭化を減らすことと、導体９１５および最も近い光方向転換特徴部９２０ａの線および点広がり関数の重なりを減らすこととを利用する。
【００８２】
図１８Ａおよび図１８Ｂは、光方向転換特徴部およびダミー光方向転換特徴部によって取り囲まれた導体を有する光導波路の一部の平面図の例を示す。特定の実施形態では、周囲の光方向転換特徴部９２０ａのアレイは、最も近い光方向転換特徴部９２０ａを導体９１５と整列されるように再配置した後であっても、導体９１５が明確に可視のままであるような低密度のものであってよい。このシナリオでは、ダミー光方向転換特徴部１７２５が、光方向転換特徴部のアレイに追加されてよい。ダミー光方向転換特徴部１７２５は、光方向転換特徴部９２０ａと同様に（観察者から見て）光を不明瞭化するが、ディスプレイ８１０（図９Ａ〜図１２Ｂ）に向けて光の方向を変えるように特に構成されていない物体である。たとえば、それらは、光導波路の平面状の上面に対して平坦に形成された光不明瞭化または遮蔽構造であってよい。たとえば、ダミー光方向転換特徴部１７２５は、光方向転換特徴部９２０ａを金属化し、導体９１５を形成するために使用されるのと同じ材料の層からパターン化されてよい。これらのダミー光方向転換特徴部１７２５の存在は、光方向転換特徴部９２０ａのアレイの背景光学的密度を効果的に上昇させ、それによって、導体９１５の光学的密度と、周囲のアレイの光学的密度との間のコントラストを低下させる。上述したように、視覚知覚は、角度（および、対応する空間）分解能ならびにコントラスト比の両方に依存する。ダミー光方向転換特徴部１７２５の使用によって背景光学的密度を上昇させることによって、導体９１５の可視性を低下させることができる。
【００８３】
図１９は、１つまたは複数の細長い光学的コントラスト特徴部の可視性を最小化するために、基板上に複数の離散的な光学的コントラスト特徴部を配置するための方法の流れ図の一例を示す。ブロック１８０１は、光導波路９１０（たとえば、図１６Ａを参照）のような光導波路であってよい基板を設けることを記載する。基板は、たとえば、半透明のガラスもしくはプラスチックのような半透明の材料であってよく、または、光学的コントラスト特徴部を支持することができる材料の他のボディであってよい。暗い光学的コントラスト特徴部を含む実施形態では、基板は、明るい外観を有してよい。他の実施形態では、光学的コントラスト特徴部は、明るくてよく、この場合には、基板は、それ自体暗くてよい。ブロック１８０３は、細長い光学的コントラスト特徴部を基板上に配置することを記載する。特定の実施形態では、細長い光学的コントラスト特徴部は、透明基板上に形成されたワイヤであってよい。そのようなワイヤは、ワイヤを形成するために、マスク形成、およびブランケット層のエッチングを含む標準的なリソグラフィ技術を使用して、（金属の層のような）堆積された材料のブランケット層から形成されてよい。しかしながら、細長い光学的コントラスト特徴部は、光学的コントラストを基板に提供する事実上任意の材料であってよい。たとえば、基板が暗かった場合、細長い光学的コントラスト特徴部は、白い材料の薄いストリップであってよい。いくつかの実施形態では、基板は、基板表面に溝を形成するためにエッチングされてよく、これらの溝内に細長い光学的コントラスト特徴部を形成するために、材料が堆積され、パターン化されてよい。ブロック１８０５は、細長い光学的コントラスト特徴部に直接隣接する第１の領域内に、複数の離散的な光学的コントラスト特徴部を配置することを記載する。透明基板上に形成されたワイヤを含む実施形態では、離散的な光学的コントラスト特徴部は、基板の表面に形成された、金属化された凹部を含む、金属化された光方向転換特徴部のような光方向転換特徴部を含むことができる。離散的な光学的コントラスト特徴部は、しかしながら、印刷ドットまたは他の電子構成要素を含む、基板に光学的コントラストを提供する事実上任意の材料であってよい。細長い光学的コントラスト特徴部と同様に、離散的な光学的コントラスト特徴部は、暗い基板を含む実施形態では、白いまたは明るい材料であってよく、その逆（明るい基板を含む実施形態では、暗い材料）であってもよい。上述したように、材料は、基板に対して光学的コントラストを提供する。離散的な光学的コントラスト特徴部は、細長い光学的コントラスト特徴部と同じ材料で作られてよい。他の実施形態では、離散的な光学的コントラスト特徴部は、それらの両方が基板に対してコントラストを提供する限り、異なる材料で作られてよい。透明または半透明基板を含む実施形態では、離散的な光学的コントラスト特徴部は、それらが細長い光学的コントラスト特徴部の下の層上に形成されるように、基板の表面の下に形成されてよい。他の実施形態では、透明な基板であるかまたは不透明な基板であるかにかかわらず、細長い光学的コントラスト特徴部および離散的な光学的コントラスト特徴部は、同じ層または表面上に形成されてよい。いくつかの実施形態では、ブロック１８０５は、離散的な光学的コントラスト特徴部が第１の領域に配置されないように、省略されてよい。
【００８４】
ブロック１８０７は、基板の第２の領域に第２の複数の離散的な光学的コントラスト特徴部を配置することを記載する。第２の領域は、第１の領域に隣接し、第１の領域よりも細長い光学的コントラスト特徴部から遠い。いくつかの実施形態では、細長い光学的コントラスト特徴部は、第１の領域内の中心にあってよく、第２の領域は、いずれかの側で第１の領域と隣接する。離散的な光学的コントラスト特徴部は、各々、同一の構造であってよく、または、他の実施形態では、それらの構造は、異なってよい。たとえば、いくつかの離散的な光学的コントラスト特徴部は、金属化された凹部であってよく、他の離散的な光学的コントラスト特徴部は、基板の表面に配置された金属の平坦な部分のようなダミー光方向転換特徴部であってよい。離散的な光学的コントラスト特徴部の密度は、第１の領域よりも第２の領域の方が高い。たとえば、第１の領域の離散的な光学的コントラスト特徴部の密度は、約０．０５％と約１％との間、約０．０５％と約０．５％との間、または、約０．１％と約０．５％との間であってよく、第２の領域の密度は、約０．５％と約１０％との間、約０．７５％と約７．５％との間、または、約１％と約５％との間であってよい。より高い密度は、より多くの光を遮蔽することができ、光学的コントラスト特徴部が一体化されるフロントライトの輝度を低下させ得ることが理解されるであろう。輝度の低下が許容される用途では、また、離散的な光学的コントラスト特徴部のより高い密度が、第１のおよび第２の領域のいずれかまたは両方で許容され得る。細長い光学的コントラスト特徴部に直接隣接する第１の領域に比較的より低い密度の離散的な光学的コントラスト特徴部を設けることによって、離散的な光学的コントラスト特徴部の個々の点広がり関数は、細長い光学的コントラスト特徴部の線広がり関数とあまり重ならないことになり、光学的コントラスト特徴部の光学的密度は、基板にわたってより均一になる。本明細書に記載のように、重なる広がり関数は、特徴部の周りの領域により高い光学的密度をもたらすことによって、特徴の可視性を高める可能性がある。したがって、第１の領域の光学的コントラスト特徴部のより低い密度は、細長い光学的コントラスト特徴部の可視性を低下させることができる。約１６インチの観察距離が意図されたディスプレイ用途のためのいくつかの実施形態では、第１の領域は、細長い光学的コントラスト特徴部の各側から、約２００ミクロンと約８００ミクロンとの間で延在する幅を有する。他の実施形態では、第１の領域は、細長い光学的コントラスト特徴部の各側から約１５０ミクロンと約３００ミクロンとの間で延在する幅を有する。いくつかの実施形態では、第１の領域と第２の領域との間の境界は、細長い光学的コントラスト特徴部の長さに沿って実質的に均一な距離で細長い光学的コントラスト特徴部から離間された線を画定する。いくつかの他の実施形態では、この境界は、細長い光学的コントラスト特徴部の長さに沿って細長い光学的コントラスト特徴部からの間隔が変化する線を画定することができる。
【００８５】
図２０は、細長い光学的コントラスト特徴部の可視性を低下させるために、基板上の光方向転換特徴部およびダミー光方向転換特徴部の配置を設計するための方法の一例の流れ図を示す。ブロック１９０１は、ワイヤを取り囲む光方向転換特徴部を配置するための設計を提供することを記載する。たとえば、設計は、グリッドでのような、電子タッチセンサシステムの要件に従って基板上に配置されたワイヤを含むことができる。設計は、基板の下にディスプレイの所望の照明を提供するように構成された光方向転換特徴部の配置を含むことができる。たとえば、設計は、ディスプレイの均一な照明を提供するために、基板の一方の側に配置された光源から密度を増加させながら光方向転換特徴部を配置することができる。ブロック１９０３は、ワイヤへの横方向の接近と共に増加する、光方向転換特徴部を移動させる確率を割り当てることを記載する。たとえば、設計でワイヤの最も近くに配置された光方向転換特徴部は、移動される最も高い確率を割り当てられることになる。割り当てられる確率は、ワイヤからの距離に伴って直線的に変化してよく、または、非線形パターンに従ってよい。特定の実施形態では、確率は、ワイヤの線広がり関数に従って変化してよい。ブロック１９０５は、割り当てられた確率に従って、ワイヤと重なるように光方向転換特徴部の位置を横方向に再配置することを記載する。たとえば、ブロック１９０３で５０％の確率を割り当てられた光方向転換特徴部に関して、光方向転換特徴部の半分が、設計では再配置されることになる。光方向転換特徴部は、それらがワイヤと重なるまで、ワイヤに垂直方向に直接横方向に移動されてよい。ブロック１９０７は、ワイヤ上に移動されたこれらの光方向転換特徴部を、それらがワイヤの長さに沿って均等に間隔をあけられるように拡散させることを記載する。代わりに、他の実施形態では、ワイヤ上に移動された光方向転換特徴部は、不均一なようにワイヤの長さに沿って分配されてよい。特定の実施形態では、方法は、ブロック１９０７の後に終了してよく、設計は、完成したと見なされてよい。この設計は、ワイヤに最も近い領域内の光方向転換特徴部の低下した密度によりワイヤの可視性を低下させることができる光方向転換特徴部およびワイヤの配置で、基板を製造するために使用され得る。
【００８６】
ブロック１９０９では、光方向転換特徴部の背景光学的密度がしきい値を超えているか否かが判定される。しきい値は、ワイヤの可視性を低下させるために必要な背景光学的密度に関する経験的または理論的考察に基づいて選択されてよい。背景光学的密度に達した場合、プロセスは、完了してよく、上述したように、密度は、規定された配置で光方向転換特徴部およびワイヤを有する基板を製造するために使用され得る。背景光学的密度に達していない場合、設計は、所望のしきい値背景光学的密度に達するのに十分な数のダミー光方向転換特徴部を基板上に配置することによって、変更されてよい。
【００８７】
図２１Ａおよび図２１Ｂは、複数の干渉変調器を含むディスプレイデバイス４０を示すシステムブロック図の例を示す。ディスプレイデバイス４０は、たとえば、スマートフォン、セルラー電話または携帯電話であり得る。ただし、ディスプレイデバイス４０の同じ構成要素またはディスプレイデバイス４０の軽微な変形も、テレビジョン、タブレット、電子リーダー、ハンドヘルドデバイスおよびポータブルメディアプレーヤなど、様々なタイプのディスプレイデバイスを示す。
【００８８】
ディスプレイデバイス４０は、ハウジング４１と、ディスプレイ３０と、アンテナ４３と、スピーカー４５と、入力デバイス４８と、マイクロフォン４６とを含む。ハウジング４１は、射出成形および真空成形を含む様々な製造プロセスのうちのいずれかから形成され得る。さらに、ハウジング４１は、限定はしないが、プラスチック、金属、ガラス、ゴム、およびセラミック、またはそれらの組合せを含む、様々な材料のうちのいずれかから製作され得る。ハウジング４１は、異なる色の、または異なるロゴ、ピクチャ、もしくはシンボルを含んでいる、他の取外し可能な部分と交換され得る、取外し可能な部分（図示せず）を含むことができる。
【００８９】
ディスプレイ３０は、本明細書で説明する、双安定またはアナログディスプレイを含む様々なディスプレイのうちのいずれかであり得る。ディスプレイ３０はまた、プラズマ、ＥＬ、ＯＬＥＤ、ＳＴＮ  ＬＣＤ、またはＴＦＴ  ＬＣＤなど、フラットパネルディスプレイ、あるいはＣＲＴまたは他の管デバイスなど、非フラットパネルディスプレイを含むように構成され得る。さらに、ディスプレイ３０は、本明細書で説明する干渉変調器ディスプレイを含むことができる。ディスプレイ３０は、本明細書で開示されるプロセスおよび方法の任意のものを使用して製造されてよい。ディスプレイ３０は、ディスプレイを照明するための図９〜図１２を参照して上記で開示したものと同様の照明デバイスと共にパッケージ化されてよい。ディスプレイ３０が干渉変調器ディスプレイである実施形態では、光方向転換スタック１１０は、図１１および図１２に示すようなフロントライト、またはバックライトの一部であってよい。より一般的には、光方向転換スタック１１０は、フロントまたはバックライトのいずれかの一部であってよい。
【００９０】
ディスプレイデバイス４０の構成要素は図２１Ｂに概略的に示されている。ディスプレイデバイス４０は、ハウジング４１を含み、それの中に少なくとも部分的に密閉された追加の構成要素を含むことができる。たとえば、ディスプレイデバイス４０は、トランシーバ４７に結合されたアンテナ４３を含むネットワークインターフェース２７を含む。トランシーバ４７はプロセッサ２１に接続され、プロセッサ２１は調整ハードウェア５２に接続される。調整ハードウェア５２は、信号を調整する（たとえば、信号をフィルタリングする）ように構成され得る。調整ハードウェア５２は、スピーカー４５およびマイクロフォン４６に接続される。プロセッサ２１は、入力デバイス４８およびドライバコントローラ２９にも接続される。ドライバコントローラ２９は、フレームバッファ２８に、およびアレイドライバ２２に結合され、アレイドライバ２２は次にディスプレイアレイ３０に結合される。いくつかの実施態様では、電源５０が、特定のディスプレイデバイス４０設計において実質的にすべての構成要素に電力を与えることができる。
【００９１】
ネットワークインターフェース２７は、ディスプレイデバイス４０がネットワークを介して１つまたは複数のデバイスと通信することができるように、アンテナ４３とトランシーバ４７とを含む。ネットワークインターフェース２７はまた、たとえば、プロセッサ２１のデータ処理要件を軽減するための、何らかの処理能力を有し得る。アンテナ４３は信号を送信および受信することができる。いくつかの実施態様では、アンテナ４３は、ＩＥＥＥ１６．１１（ａ）、（ｂ）、または（ｇ）を含むＩＥＥＥ１６．１１規格、あるいはＩＥＥＥ８０２．１１ａ、ｂ、ｇ、ｎを含むＩＥＥＥ８０２．１１規格、およびそれらのさらなる実施態様に従って、ＲＦ信号を送信および受信する。いくつかの他の実施態様では、アンテナ４３は、ＢＬＵＥＴＯＯＴＨ規格に従ってＲＦ信号を送信および受信する。セルラー電話の場合、アンテナ４３は、３Ｇまたは４Ｇ技術を利用するシステムなどのワイヤレスネットワーク内で通信するために使用される、符号分割多元接続（ＣＤＭＡ）、周波数分割多元接続（ＦＤＭＡ）、時分割多元接続（ＴＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、ＧＳＭ／Ｇｅｎｅｒａｌ  Ｐａｃｋｅｔ  Ｒａｄｉｏ  Ｓｅｒｖｉｃｅ（ＧＰＲＳ）、Ｅｎｈａｎｃｅｄ  Ｄａｔａ  ＧＳＭ  Ｅｎｖｉｒｏｎｍｅｎｔ（ＥＤＧＥ）、Ｔｅｒｒｅｓｔｒｉａｌ  Ｔｒｕｎｋｅｄ  Ｒａｄｉｏ（ＴＥＴＲＡ）、広帯域ＣＤＭＡ（Ｗ−ＣＤＭＡ）、Ｅｖｏｌｕｔｉｏｎ  Ｄａｔａ  Ｏｐｔｉｍｉｚｅｄ（ＥＶ−ＤＯ）、１ｘＥＶ−ＤＯ、ＥＶ−ＤＯ  Ｒｅｖ  Ａ、ＥＶ−ＤＯ  Ｒｅｖ  Ｂ、高速パケットアクセス（ＨＳＰＡ）、高速ダウンリンクパケットアクセス（ＨＳＤＰＡ）、高速アップリンクパケットアクセス（ＨＳＵＰＡ）、発展型高速パケットアクセス（ＨＳＰＡ＋）、Ｌｏｎｇ  Ｔｅｒｍ  Ｅｖｏｌｕｔｉｏｎ（ＬＴＥ）、ＡＭＰＳ、または他の知られている信号を受信するように設計される。トランシーバ４７は、アンテナ４３から受信された信号がプロセッサ２１によって受信され、プロセッサ２１によってさらに操作され得るように、その信号を前処理することができる。トランシーバ４７はまた、プロセッサ２１から受信された信号がアンテナ４３を介してディスプレイデバイス４０から送信され得るように、その信号を処理することができる。
【００９２】
いくつかの実施態様では、トランシーバ４７は受信機によって置き換えられ得る。さらに、いくつかの実施態様では、ネットワークインターフェース２７は、プロセッサ２１に送られるべき画像データを記憶または生成することができる画像ソースによって置き換えられ得る。プロセッサ２１は、ディスプレイデバイス４０の全体的な動作を制御することができる。プロセッサ２１は、ネットワークインターフェース２７または画像ソースから圧縮された画像データなどのデータを受信し、そのデータを生画像データに、または生画像データに容易に処理されるフォーマットに、処理する。プロセッサ２１は、処理されたデータをドライバコントローラ２９に、または記憶のためにフレームバッファ２８に送ることができる。生データは、一般に、画像内の各ロケーションにおける画像特性を識別する情報を指す。たとえば、そのような画像特性は、色、彩度、およびグレースケールレベルを含むことができる。
【００９３】
プロセッサ２１は、ディスプレイデバイス４０の動作を制御するためのマイクロコントローラ、ＣＰＵ、または論理ユニットを含むことができる。調整ハードウェア５２は、スピーカー４５に信号を送信するための、およびマイクロフォン４６から信号を受信するための、増幅器およびフィルタを含み得る。調整ハードウェア５２は、ディスプレイデバイス４０内の個別構成要素であり得、あるいはプロセッサ２１または他の構成要素内に組み込まれ得る。
【００９４】
ドライバコントローラ２９は、プロセッサ２１によって生成された生画像データをプロセッサ２１から直接、またはフレームバッファ２８から取得することができ、アレイドライバ２２への高速送信のために適宜に生画像データを再フォーマットすることができる。いくつかの実施態様では、ドライバコントローラ２９は、生画像データを、ラスタ様フォーマットを有するデータフローに再フォーマットすることができ、その結果、そのデータフローは、ディスプレイアレイ３０にわたって走査するのに好適な時間順序を有する。次いで、ドライバコントローラ２９は、フォーマットされた情報をアレイドライバ２２に送る。ＬＣＤコントローラなどのドライバコントローラ２９は、しばしば、スタンドアロン集積回路（ＩＣ）としてシステムプロセッサ２１に関連付けられるが、そのようなコントローラは多くの方法で実施され得る。たとえば、コントローラは、ハードウェアとしてプロセッサ２１中に埋め込まれるか、ソフトウェアとしてプロセッサ２１中に埋め込まれるか、またはハードウェアにおいてアレイドライバ２２と完全に一体化され得る。
【００９５】
アレイドライバ２２は、ドライバコントローラ２９からフォーマットされた情報を受信することができ、ビデオデータを波形の並列セットに再フォーマットすることができ、波形の並列セットは、ディスプレイのピクセルのｘ−ｙ行列から来る、数百の、および時には数千の（またはより多くの）リード線に毎秒何回も適用される。
【００９６】
いくつかの実施態様では、ドライバコントローラ２９、アレイドライバ２２、およびディスプレイアレイ３０は、本明細書で説明するディスプレイのタイプのうちのいずれにも適している。たとえば、ドライバコントローラ２９は、従来のディスプレイコントローラまたは双安定ディスプレイコントローラ（ＩＭＯＤコントローラなど）であり得る。さらに、アレイドライバ２２は、従来のドライバまたは双安定ディスプレイドライバ（ＩＭＯＤディスプレイドライバなど）であり得る。さらに、ディスプレイアレイ３０は、従来のディスプレイアレイまたは双安定ディスプレイアレイ（ＩＭＯＤのアレイを含むディスプレイなど）とすることができる。いくつかの実施態様では、ドライバコントローラ２９はアレイドライバ２２と一体化することができる。そのような実施態様は、高集積システム、たとえば、モバイルフォン、ポータブル電子デバイス、ウォッチまたは小面積ディスプレイにおいて、有用であることがある。
【００９７】
いくつかの実施態様では、入力デバイス４８は、たとえば、ユーザがディスプレイデバイス４０の動作を制御できるように構成することができる。入力デバイス４８は、ＱＷＥＲＴＹキーボードまたは電話キーパッドなどのキーパッド、ボタン、スイッチ、ロッカー、タッチセンシティブスクリーン、ディスプレイアレイ３０と一体化されたタッチセンシティブスクリーン、あるいは感圧膜または感熱膜を含むことができる。いくつかの実施形態では、タッチセンシティブスクリーンは、光導波路と一体化され、タッチ感知エレクトロニクスに接続されたタッチ感知電極アレイを含む。いくつかの実施形態では、光導波路に導かれた光を光導波路の外に方向転換させるための光方向転換特徴部９２０ｂは、タッチ感知電極アレイの一部である１つまたは複数の導体（ワイヤ）上に配置される。マイクロフォン４６は、ディスプレイデバイス４０のための入力デバイスとして構成することができる。いくつかの実施態様では、ディスプレイデバイス４０の動作を制御するために、マイクロフォン４６を通してのボイスコマンドを用いることができる。
【００９８】
電源５０は種々のエネルギー蓄積デバイスを含むことができる。たとえば、電源５０は、ニッケルカドミウムバッテリまたはリチウムイオンバッテリなどの充電式バッテリとすることができる。充電式バッテリを使用する実施態様では、充電式バッテリは、たとえば、壁コンセントあるいは光起電性デバイスまたはアレイから来る電力を使用して充電可能であり得る。代替的には、充電式バッテリはワイヤレス充電可能とすることができる。電源５０はまた、再生可能エネルギー源、キャパシタ、あるいはプラスチック太陽電池または太陽電池塗料を含む太陽電池とすることもできる。電源５０はまた、壁コンセントから電力を受け取るように構成することもできる。
【００９９】
いくつかの実施態様では、制御プログラマビリティがドライバコントローラ２９中に存在し、これは電子ディスプレイシステム中のいくつかの場所に配置され得る。いくつかの他の実施態様では、制御プログラマビリティがアレイドライバ２２中に存在する。上記で説明した最適化は、任意の数のハードウェアおよび／またはソフトウェア構成要素において、ならびに様々な構成において実施され得る。
【０１００】
本明細書で開示する実施態様に関して説明した様々な例示的な論理、論理ブロック、モジュール、回路、およびアルゴリズムステップは、電子ハードウェア、コンピュータソフトウェア、または両方の組合せとして実施され得る。ハードウェアとソフトウェアの互換性が、概して機能に関して説明され、上記で説明した様々な例示的な構成要素、ブロック、モジュール、回路およびステップにおいて示された。そのような機能がハードウェアで実施されるか、ソフトウェアで実施されるかは、特定の適用例および全体的なシステムに課された設計制約に依存する。
【０１０１】
本明細書で開示する態様に関して説明した様々な例示的な論理、論理ブロック、モジュール、および回路を実施するために使用される、ハードウェアおよびデータ処理装置は、汎用シングルチップまたはマルチチッププロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実施または実行され得る。汎用プロセッサは、マイクロプロセッサ、あるいは任意の従来のプロセッサ、コントローラ、マイクロコントローラ、または状態機械であり得る。プロセッサは、ＤＳＰとマイクロプロセッサとの組合せ、複数のマイクロプロセッサ、ＤＳＰコアと連携する１つまたは複数のマイクロプロセッサ、あるいは任意の他のそのような構成などのコンピューティングデバイスの組合せとして実施することもできる。いくつかの実施態様では、特定のステップおよび方法が、所与の機能に固有である回路によって実行され得る。
【０１０２】
１つまたは複数の態様では、説明した機能は、本明細書で開示する構造を含むハードウェア、デジタル電子回路、コンピュータソフトウェア、ファームウェア、およびそれらの上記構造の構造的等価物において、またはそれらの任意の組合せにおいて実施され得る。また、本明細書で説明した主題の実施態様は、１つまたは複数のコンピュータプログラムとして、すなわち、データ処理装置が実行するためにコンピュータ記憶媒体上に符号化された、またはデータ処理装置の動作を制御するための、コンピュータプログラム命令の１つまたは複数のモジュールとして、実施され得る。
【０１０３】
ソフトウェアで実施する場合、機能は、１つまたは複数の命令またはコードとしてコンピュータ可読媒体上に記憶するか、あるいはコンピュータ可読媒体を介して送信することができる。本明細書で開示された方法またはアルゴリズムのステップは、コンピュータ可読媒体上に存在し得る、プロセッサ実行可能ソフトウェアモジュールで実施され得る。コンピュータ可読媒体は、ある場所から別の場所にコンピュータプログラムを転送することを可能にされ得る任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態で所望のプログラムコードを記憶するために使用され得、コンピュータによってアクセスされ得る、任意の他の媒体を含み得る。また、いかなる接続もコンピュータ可読媒体と適切に呼ばれ得る。本明細書で使用するディスク（ｄｉｓｋ）およびディスク（ｄｉｓｃ）は、コンパクトディスク（ｄｉｓｃ）（ＣＤ）、レーザディスク（ｄｉｓｃ）、光ディスク（ｄｉｓｃ）、デジタル多用途ディスク（ｄｉｓｃ）（ＤＶＤ）、フロッピーディスク（ｄｉｓｋ）およびブルーレイディスク（ｄｉｓｃ）を含み、ディスク（ｄｉｓｋ）は、通常、データを磁気的に再生し、ディスク（ｄｉｓｃ）は、データをレーザで光学的に再生する。上記の組合せもコンピュータ可読媒体の範囲内に含め得る。さらに、方法またはアルゴリズムの動作は、コンピュータプログラム製品に組み込まれ得る、機械可読媒体およびコンピュータ可読媒体上のコードおよび命令の、１つまたは任意の組合せまたはセットとして存在し得る。
【０１０４】
本開示で説明した実施態様への様々な修正は当業者には容易に明らかであり得、本明細書で定義した一般原理は、本開示の趣旨または範囲から逸脱することなく他の実施態様に適用され得る。したがって、特許請求の範囲は、本明細書で示した実施態様に限定されるものではなく、本開示と、本明細書で開示する原理および新規の特徴とに一致する、最も広い範囲を与えられるべきである。「例示的」という単語は、本明細書ではもっぱら「例、事例、または例示の働きをすること」を意味するために使用される。本明細書に「例示的」と記載されたいかなる実施態様も、必ずしも他の可能性または実施態様よりも好ましいまたは有利であると解釈されるべきではない。さらに、「上側」および「下側」という用語は、図の説明を簡単にするために時々使用され、適切に配向されたページ上の図の配向に対応する相対位置を示すが、実施されたＩＭＯＤの適切な配向を反映しないことがあることを、当業者は容易に諒解されよう。
【０１０５】
また、別個の実施態様に関して本明細書で説明されたいくつかの特徴は、単一の実施態様において組合せで実施され得る。また、逆に、単一の実施態様に関して説明した様々な特徴は、複数の実施態様において別個に、あるいは任意の好適な部分組合せで実施され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１０６】
同様に、動作は特定の順序で図面に示されているが、そのような動作は、望ましい結果を達成するために、示される特定の順序でまたは順番に実行される必要がないこと、またはすべての例示される動作が実行される必要があるとは限らないことは、当業者は容易に認識されよう。さらに、図面は、流れ図の形態でもう１つの例示的なプロセスを概略的に示し得る。ただし、図示されていない他の動作が、概略的に示される例示的なプロセスに組み込まれ得る。たとえば、１つまたは複数の追加の動作が、図示の動作のうちのいずれかの前に、後に、同時に、またはそれの間で、実行され得る。いくつかの状況では、マルチタスキングおよび並列処理が有利であり得る。その上、上記で説明した実施態様における様々なシステム構成要素の分離は、すべての実施態様においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実施態様が以下の特許請求の範囲内に入る。場合によっては、特許請求の範囲に記載の行為は、異なる順序で実行され、依然として望ましい結果を達成することができる。
【符号の説明】
【０１０７】
１４  可動反射層
１４ａ  反射副層
１４ｃ  上部金属層
１６ａ  光吸収体
２１  プロセッサ
２２  アレイドライバ
２７  ネットワークインターフェース
２８  フレームバッファ
２９  ドライバコントローラ
３０  ディスプレイアレイ、ディスプレイ
４０  ディスプレイデバイス
４１  ハウジング
４３  アンテナ
４５  スピーカー
４６  マイクロフォン
４７  トランシーバ
４８  入力デバイス
５０  電力システム、電源
５２  調整ハードウェア
８００  ディスプレイシステム
８１０  ディスプレイ
８２０  照明デバイス
８３０  タッチセンサ
８３５  人間の指
８３７  アイコン
８４０  タッチセンサと一体化された照明デバイス
９０１ａ  光方向転換特徴部
９０１ｂ  光方向転換特徴部
９０１ｃ  光方向転換特徴部
９０２ａ  光線
９０２ｂ  光線
９０２ｃ  光線
９０５  表面
９１０  照明デバイス
９１５  導体
９２０  光方向転換特徴部
９２０ａ  光方向転換特徴部
９２０ｂ  光方向転換特徴部
９２０ｃ  光方向転換特徴部
９２０ｄ  光方向転換特徴部
９３０  タッチ感知エレクトロニクス
９４０  層
９５０  電極
９５５  電極
９６０  層
１０１０  電極
１０２０  電極
１０３０  力線
１０３５ａ  相互キャパシタンス
１０３５ｂ  相互キャパシタンス
１６１０  第１の領域
１６１１  第２の領域
１７２５  ダミー光方向転換特徴部
【図１】
2015510599.tif 000006
【図２】
2015510599.tif 000007
【図３】
2015510599.tif 000008
【図４】
2015510599.tif 000009
【図５Ａ】
2015510599.tif 000010
【図５Ｂ】
2015510599.tif 000011
【図６Ａ】
2015510599.tif 000012
【図６Ｂ】
2015510599.tif 000013
【図６Ｃ】
2015510599.tif 000014
【図６Ｄ】
2015510599.tif 000015
【図６Ｅ】
2015510599.tif 000016
【図７】
2015510599.tif 000017
【図８Ａ】
2015510599.tif 000018
【図８Ｂ】
2015510599.tif 000019
【図８Ｃ】
2015510599.tif 000020
【図８Ｄ】
2015510599.tif 000021
【図８Ｅ】
2015510599.tif 000022
【図９Ａ】
2015510599.tif 000023
【図９Ｂ】
2015510599.tif 000024
【図９Ｃ】
2015510599.tif 000025
【図１０Ａ】
2015510599.tif 000026
【図１０Ｂ】
2015510599.tif 000027
【図１０Ｃ】
2015510599.tif 000028
【図１０Ｄ】
2015510599.tif 000029
【図１１】
2015510599.tif 000030
【図１２Ａ】
2015510599.tif 000031
【図１２Ｂ】
2015510599.tif 000032
【図１３Ａ】
2015510599.tif 000033
【図１３Ｂ】
2015510599.tif 000034
【図１４】
2015510599.tif 000035
【図１５Ａ】
2015510599.tif 000036
【図１５Ｂ】
2015510599.tif 000037
【図１５Ｃ】
2015510599.tif 000038
【図１６Ａ】
2015510599.tif 000039
【図１６Ｂ】
2015510599.tif 000040
【図１６Ｃ】
2015510599.tif 000041
【図１７Ａ−１７Ｂ】
2015510599.tif 000042
【図１８Ａ−１８Ｂ】
2015510599.tif 000043
【図１９】
2015510599.tif 000044
【図２０】
2015510599.tif 000045
【図２１Ａ】
2015510599.tif 000046
【図２１Ｂ】
2015510599.tif 000047
【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
基板上の細長い光学的コントラスト特徴部と、
前記細長い光学的コントラスト特徴部に直接隣接する第１の領域と、
前記第１の領域に直接隣接し、前記第１の領域よりも前記細長い光学的コントラスト特徴部から遠い第２の領域と、
前記第１の領域内に分布された第１の複数の離散的な光学的コントラスト特徴部であって、前記第１の複数の離散的な光学的コントラスト特徴部の少なくともいくつかが、前記細長い光学的コントラスト特徴部から離間される第１の複数の離散的な光学的コントラスト特徴部と、
前記第２の領域内に分布された第２の複数の離散的な光学的コントラスト特徴部と
を含む基板組立品を備えるデバイスであって、
前記第１の複数の離散的な光学的コントラスト特徴部の第１の密度が、前記第２の複数の離散的な光学的コントラスト特徴部の第２の密度よりも低い、デバイス。
【請求項２】
前記第１の領域と前記第２の領域との間の境界は、前記細長い光学的コントラスト特徴部の長さに沿って、実質的に均一な距離で、前記細長い光学的コントラスト特徴部から離間される、請求項１に記載のデバイス。
【請求項３】
前記細長い光学的コントラスト特徴部が、ワイヤである、請求項１に記載のデバイス。
【請求項４】
前記ワイヤが、導電体の接近を感知するように構成されたタッチセンサシステムに電気的に接続された電極であり、前記電極が、前記タッチセンサシステムの一部である、請求項３に記載のデバイス。
【請求項５】
複数の凹部が、前記ワイヤの長さに沿って形成され、前記ワイヤが、少なくとも部分的に、前記凹部を被覆する金属で形成される、請求項３に記載のデバイス。
【請求項６】
前記第１の領域が、約１６インチの距離での人間の目に対する前記細長い光学的コントラスト特徴部の線広がり関数内に実質的に完全に収まる、請求項１に記載のデバイス。
【請求項７】
前記基板が、主上面および主底面を有する光導波路を含み、前記離散的な光学的コントラスト特徴部が、方向転換された光が前記主底面を通って前記光導波路から出るように、前記光導波路内を伝播する光を方向転換するように構成された光方向転換特徴部を含む、請求項１に記載のデバイス。
【請求項８】
前記離散的な光学的コントラスト特徴部が、さらに、前記第２の領域内に分布された複数のダミー光方向転換特徴部を含む、請求項７に記載のデバイス。
【請求項９】
前記離散的な光学的コントラスト特徴部が、前記光導波路の前記主上面内に延在する凹部を含む、請求項７に記載のデバイス。
【請求項１０】
前記細長い光学的コントラスト特徴部が、前記光導波路の前記主上面上に形成される、請求項９に記載のデバイス。
【請求項１１】
前記凹部の少なくともいくつかが、金属で被覆される、請求項９に記載のデバイス。
【請求項１２】
さらに、ディスプレイを備え、前記基板が、前記ディスプレイを照明するために構成された光導波路を含み、
前記デバイスが、さらに、前記ディスプレイと通信するように構成されたプロセッサを備え、前記プロセッサが、画像データを処理するように構成されており、
前記デバイスが、さらに、前記プロセッサと通信するように構成されたメモリデバイスを備える、請求項１に記載のデバイス。
【請求項１３】
さらに、前記ディスプレイに少なくとも１つの信号を送るように構成されたドライバ回路を備える、請求項１２に記載のデバイス。
【請求項１４】
さらに、前記画像データの少なくとも一部を前記ドライバ回路に送るように構成されたコントローラを備える、請求項１３に記載のデバイス。
【請求項１５】
さらに、前記画像データを前記プロセッサに送るように構成された画像ソースモジュールを備える、請求項１２に記載のデバイス。
【請求項１６】
前記画像ソースモジュールが、受信機、トランシーバ、および送信機のうちの少なくとも１つを含む、請求項１５に記載のデバイス。
【請求項１７】
さらに、入力データを受信し、前記プロセッサに前記入力データを通信するように構成された入力デバイスを備え、前記入力デバイスが、タッチセンサを含み、前記細長い光学的コントラスト特徴部が、前記タッチセンサの一部であるワイヤである、請求項１２に記載のデバイス。
【請求項１８】
基板上の細長い光学的コントラスト特徴部と、
前記細長い光学的コントラスト特徴部を不明瞭化するための手段と
を含む、基板組立品を備えるデバイスであって、前記細長い光学的コントラスト特徴部を不明瞭化するための前記手段が、
前記細長い光学的コントラスト特徴部を中心とする第１の領域と、
前記第１の領域に直接隣接し、前記第１の領域よりも前記細長い光学的コントラスト特徴部から遠い、第２の領域と、
前記第１の領域内に分布された第１の複数の離散的な光学的コントラスト特徴部と、
前記第２の領域内に分布された第２の複数の離散的な光学的コントラスト特徴部と
を含み、
前記第１の複数の離散的な光学的コントラスト特徴部の第１の密度が、前記第２の複数の離散的な光学的コントラスト特徴部の第２の密度よりも低い、デバイス。
【請求項１９】
前記細長い光学的コントラスト特徴部が、ワイヤを含み、前記ワイヤが、導電体の接近を感知するように構成されたタッチセンサシステムに電気的に接続された電極であり、前記電極が、前記タッチセンサシステムの一部である、請求項１８に記載のデバイス。
【請求項２０】
前記離散的な光学的コントラスト特徴部が、前記基板に形成された凹部を含む、請求項１８に記載のデバイス。
【請求項２１】
前記凹部の少なくともいくつかが、金属で被覆される、請求項２０に記載のデバイス。
【請求項２２】
前記第１の領域が、約１６インチの距離での人間の目に対する前記細長い光学的コントラスト特徴部の線広がり関数内に収まる、請求項１８に記載のデバイス。
【請求項２３】
複数の凹部が、前記ワイヤの長さに沿って形成され、前記ワイヤが、少なくとも部分的に、前記凹部を被覆する金属で形成される、請求項１９に記載のデバイス。
【請求項２４】
デバイスを製造する方法であって、
基板を設けるステップと、
前記基板上に細長い光学的コントラスト特徴部を設けるステップと、
前記細長い光学的コントラスト特徴部に直接隣接する前記基板の第１の領域に第１の複数の離散的な光学的コントラスト特徴部を設けるステップであって、前記第１の複数の離散的な光学的コントラスト特徴部の少なくともいくつかが、前記細長い光学的コントラスト特徴部から離間されるステップと、
前記第１の領域に直接隣接し、前記第１の領域よりも前記細長い光学的コントラスト特徴部から遠い、前記基板の第２の領域に第２の複数の離散的な光学的コントラスト特徴部を設けるステップと
を含み、
前記第１の複数の離散的な光学的コントラスト特徴部の第１の密度が、前記第２の複数の離散的な光学的コントラスト特徴部の第２の密度よりも低い、方法。
【請求項２５】
前記細長い光学的コントラスト特徴部を設けるステップが、前記基板上にワイヤを形成するステップを含む、請求項２４に記載の方法。
【請求項２６】
前記第１および第２の複数の離散的な光学的コントラスト特徴部を設けるステップが、前記基板の上面に凹部を形成するステップを含む、請求項２４に記載の方法。
【請求項２７】
さらに、前記基板の前記上面に形成された前記凹部の少なくともいくつかの表面を金属で被覆するステップを含む、請求項２６に記載の方法。
【請求項２８】
前記第１の領域が、約１６インチの距離での人間の目に対する前記細長い光学的コントラスト特徴部の線広がり関数内に収まる、請求項２４に記載の方法。
【請求項２９】
さらに、前記ワイヤを、導電体の接近を感知することができるタッチセンサシステムに電気的に接続するステップを含み、前記電極が、前記タッチセンサシステムの一部である、請求項２５に記載の方法。
【請求項３０】
前記ワイヤを形成するステップが、
前記ワイヤの長さに沿って複数の凹部を形成するステップと、
前記凹部を金属で被覆するステップと
を含む、請求項２５に記載のデバイス。
【請求項３１】
前記第１の密度および前記第２の密度が、前記細長い光学的コントラスト特徴部を不明瞭化するように構成される、請求項２４に記載の方法。
【請求項３２】
前記第１の密度および前記第２の密度が、前記細長い光学的コントラスト特徴部を不明瞭化するように構成される、請求項１に記載のデバイス。
【国際調査報告】
2015510599.tif 000048
2015510599.tif 000049
2015510599.tif 000050